(57)【要約】【課題】撮影画像の写りを規定するパラメータの変更結果を変更の前後で比較するとともに、異なる変更結果を相対的に比較することができるようにする。【解決手段】本技術の一側面の撮影装置は、利用者を被写体として撮影し、撮影することによって得られた撮影画像の中から選択された１枚の撮影画像に対して、撮影画像の写りを規定するパラメータを変更して画像処理を施す。また、撮影装置は、撮影画像と、画像処理によって得られた写りが異なる複数の撮影画像とを同じ画面に表示させる。本技術は写真シール作成装置に適用することができる。【選択図】図１８
2016114793.tif 000002
【特許請求の範囲】
【請求項１】
利用者を被写体として撮影する撮影部と、
撮影することによって得られた撮影画像の中から選択された１枚の前記撮影画像に対して、前記撮影画像の写りを規定するパラメータを変更して画像処理を施す変更処理部と、
撮影することによって得られた前記撮影画像と、前記画像処理によって得られた写りが異なる複数の前記撮影画像とを同じ画面に表示させる表示制御部と
を備える撮影装置。
【請求項２】
前記撮影部は、複数の前記利用者を被写体として撮影し、
前記表示制御部は、撮影することによって得られた前記撮影画像と、前記画像処理によって得られた写りが異なる複数の前記撮影画像とを、前記画面を構成する、それぞれの前記利用者に用いられる領域にそれぞれ表示させる
請求項１に記載の撮影装置。
【請求項３】
前記撮影部は複数回撮影し、
前記表示制御部は、複数回撮影することによって得られた複数の前記撮影画像を、前記画像処理の対象の選択に用いられる画像として前記画面の所定の領域に表示させ、
前記変更処理部は、前記所定の領域に表示された複数の前記撮影画像の中から選択された１枚の前記撮影画像に対して前記画像処理を施す
請求項１または２に記載の撮影装置。
【請求項４】
前記表示制御部は、複数回撮影することによって得られた全ての前記撮影画像を前記所定の領域に表示させる
請求項３に記載の撮影装置。
【請求項５】
前記撮影部は、前記利用者の上半身が写る前記撮影画像を撮影する第１のコースと、前記利用者の上半身が写る前記撮影画像および全身が写る前記撮影画像を撮影する第２のコースとの中から前記利用者により選択されたコースに従って撮影し、
前記表示制御部は、前記利用者により選択されたコースに応じて、前記所定の領域に表示させる前記撮影画像の枚数を切り替える
請求項３に記載の撮影装置。
【請求項６】
前記表示制御部は、前記第１のコースが選択された場合、複数回撮影することによって得られた全ての前記撮影画像を前記所定の領域に表示させ、前記第２のコースが選択された場合、複数回撮影することによって得られた複数の前記撮影画像のうちの、前記利用者の上半身が写る全ての前記撮影画像のみを前記所定の領域に表示させる
請求項５に記載の撮影装置。
【請求項７】
前記撮影部は、前記利用者の上半身が写る前記撮影画像を撮影する第１のコースと、前記利用者の上半身が写る前記撮影画像および全身が写る前記撮影画像を撮影する第２のコースとの中から前記利用者により選択されたコースに従って撮影し、
前記表示制御部は、前記利用者により選択されたコースに応じて、前記所定の領域に表示させる前記撮影画像の表示の状態を切り替える
請求項３に記載の撮影装置。
【請求項８】
前記表示制御部は、前記第１のコースが選択された場合、複数回撮影することによって得られた全ての前記撮影画像を前記所定の領域に表示させ、前記第２のコースが選択された場合、前記利用者の上半身が写る全ての前記撮影画像を選択可能な状態で前記所定の領域に表示させ、前記利用者の全身が写る全ての前記撮影画像を選択不可能な状態で前記所定の領域に表示させる
請求項７に記載の撮影装置。
【請求項９】
前記パラメータは、前記撮影画像に写る前記利用者の目の大きさを規定するパラメータ、前記目の色を規定するパラメータ、前記目のぼかしの程度を規定するパラメータ、前記利用者の髪の色を規定するパラメータ、前記利用者の顔の大きさを規定するパラメータ、化粧の濃淡を規定するパラメータ、前記利用者の肌の色を規定するパラメータ、および前記撮影画像の明るさを規定するパラメータのうちの少なくともいずれかである
請求項１乃至８のいずれかに記載の撮影装置。
【請求項１０】
前記変更処理部は、前記画面に表示された写りが異なる複数の前記撮影画像の中から選択された前記撮影画像に施した前記画像処理と同じ処理を、撮影することによって得られた他の前記撮影画像に対して施す
請求項１乃至９のいずれかに記載の撮影装置。
【請求項１１】
利用者を被写体として撮影し、
撮影することによって得られた撮影画像の中から選択された１枚の前記撮影画像に対して、前記撮影画像の写りを規定するパラメータを変更して画像処理を施し、
撮影することによって得られた前記撮影画像と、前記画像処理によって得られた写りが異なる複数の前記撮影画像とを同じ画面に表示させる
ステップを含む画像処理方法。
【発明の詳細な説明】
【技術分野】
【０００１】
本技術は、撮影装置および画像処理方法に関し、特に、撮影画像の写りを規定するパラメータの変更結果を変更の前後で比較するとともに、異なる変更結果を相対的に比較することができるようにした撮影装置および画像処理方法に関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。
【０００３】
このような写真シール作成装置の中には、撮影画像の写りの調整機能を搭載したものがある。特許文献１には、利用者を撮影して得られた撮影画像と、パラメータの変更を指示するときに操作される複数のボタンとを含む画面を表示する技術が開示されている。あるボタンが操作されたとき、パラメータを変更する画像処理が全ての撮影画像に対して施され、パラメータの変更結果の画像が表示される。
【先行技術文献】
【特許文献】
【０００４】
【特許文献１】特開２０１３−２２９８４８号公報
【発明の概要】
【発明が解決しようとする課題】
【０００５】
特許文献１に記載の技術によれば、例えば撮影画像が表示される画面と同じ画面にてパラメータの変更を指示することができる点においては、ユーザの操作が簡単になっている。しかしながら、例えば、同一の撮影画像に対して異なる変更を施した結果を比較したい場合に、そのような比較が可能な形で結果を表示するようにはなっていない。このため、利用者は、どのパラメータをどの程度変更させればよいのかを、変更結果を相対的に評価して選ぶことができない。
【０００６】
本技術はこのような状況に鑑みてなされたものであり、撮影画像の写りを規定するパラメータの変更結果を変更の前後で比較するとともに、異なる変更結果を相対的に比較することができるようにするものである。
【課題を解決するための手段】
【０００７】
本技術の一側面の撮影装置は、利用者を被写体として撮影する撮影部と、撮影することによって得られた撮影画像の中から選択された１枚の前記撮影画像に対して、前記撮影画像の写りを規定するパラメータを変更して画像処理を施す変更処理部と、撮影することによって得られた前記撮影画像と、前記画像処理によって得られた写りが異なる複数の前記撮影画像とを同じ画面に表示させる表示制御部とを備える。
【０００８】
前記撮影部には、複数の前記利用者を被写体として撮影させ、前記表示制御部には、撮影することによって得られた前記撮影画像と、前記画像処理によって得られた写りが異なる複数の前記撮影画像とを、前記画面を構成する、それぞれの前記利用者に用いられる領域にそれぞれ表示させることができる。
【０００９】
前記撮影部には複数回撮影させ、前記表示制御部には、複数回撮影することによって得られた複数の前記撮影画像を、前記画像処理の対象の選択に用いられる画像として前記画面の所定の領域に表示させ、前記変更処理部には、前記所定の領域に表示された複数の前記撮影画像の中から選択された１枚の前記撮影画像に対して前記画像処理を施させることができる。
【００１０】
前記表示制御部には、複数回撮影することによって得られた全ての前記撮影画像を前記所定の領域に表示させることができる。
【００１１】
前記撮影部には、前記利用者の上半身が写る前記撮影画像を撮影する第１のコースと、前記利用者の上半身が写る前記撮影画像および全身が写る前記撮影画像を撮影する第２のコースとの中から前記利用者により選択されたコースに従って撮影させ、前記表示制御部には、前記利用者により選択されたコースに応じて、前記所定の領域に表示させる前記撮影画像の枚数を切り替えさせることができる。
【００１２】
前記表示制御部には、前記第１のコースが選択された場合、複数回撮影することによって得られた全ての前記撮影画像を前記所定の領域に表示させ、前記第２のコースが選択された場合、複数回撮影することによって得られた複数の前記撮影画像のうちの、前記利用者の上半身が写る全ての前記撮影画像のみを前記所定の領域に表示させることができる。
【００１３】
前記撮影部には、前記利用者の上半身が写る前記撮影画像を撮影する第１のコースと、前記利用者の上半身が写る前記撮影画像および全身が写る前記撮影画像を撮影する第２のコースとの中から前記利用者により選択されたコースに従って撮影させ、前記表示制御部には、前記利用者により選択されたコースに応じて、前記所定の領域に表示させる前記撮影画像の表示の状態を切り替えさせることができる。
【００１４】
前記表示制御部には、前記第１のコースが選択された場合、複数回撮影することによって得られた全ての前記撮影画像を前記所定の領域に表示させ、前記第２のコースが選択された場合、前記利用者の上半身が写る全ての前記撮影画像を選択可能な状態で前記所定の領域に表示させ、前記利用者の全身が写る全ての前記撮影画像を選択不可能な状態で前記所定の領域に表示させることができる。
【００１５】
前記パラメータが、前記撮影画像に写る前記利用者の目の大きさを規定するパラメータ、前記目の色を規定するパラメータ、前記目のぼかしの程度を規定するパラメータ、前記利用者の髪の色を規定するパラメータ、前記利用者の顔の大きさを規定するパラメータ、化粧の濃淡を規定するパラメータ、前記利用者の肌の色を規定するパラメータ、および前記撮影画像の明るさを規定するパラメータのうちの少なくともいずれかであるようにすることができる。
【００１６】
前記変更処理部には、前記画面に表示された写りが異なる複数の前記撮影画像の中から選択された前記撮影画像に施した前記画像処理と同じ処理を、撮影することによって得られた他の前記撮影画像に対して施させることができる。
【００１７】
本技術の一側面においては、利用者が被写体として撮影され、撮影することによって得られた撮影画像の中から選択された１枚の前記撮影画像に対して、前記撮影画像の写りを規定するパラメータを変更して画像処理が施される。また、撮影することによって得られた前記撮影画像と、前記画像処理によって得られた写りが異なる複数の前記撮影画像とが同じ画面に表示される。
【発明の効果】
【００１８】
本技術によれば、利用者は、撮影画像の写りを規定するパラメータの変更結果を変更の前後で比較するとともに、異なる変更結果を相対的に比較することができる。
【図面の簡単な説明】
【００１９】
【図１】写真シール作成装置の外観の構成例を示す斜視図である。
【図２】写真シール作成装置の外観の構成例を示す斜視図である。
【図３】写真シール作成装置を上から見た平面図である。
【図４】撮影部の正面の構成例を示す図である。
【図５】背景部の撮影空間側の構成例を示す図である。
【図６】編集ユニットの正面側の構成例を示す図である。
【図７】編集ユニットの右側面の構成例を示す図である。
【図８】写真シール作成装置の内部の構成例を示すブロック図である。
【図９】制御部の機能構成例を示すブロック図である。
【図１０】編集画像のレイヤ構造の例を示す図である。
【図１１】編集制御部の機能構成例を示すブロック図である。
【図１２】シール作成ゲームを提供する一連の処理について説明するフローチャートである。
【図１３】図１２のステップＳ１において行われる撮影処理について説明するフローチャートである。
【図１４】アップ画像と全身画像の例を示す図である。
【図１５】ライブビューの表示例を示す図である。
【図１６】図１２のステップＳ３において行われる編集処理について説明するフローチャートである。
【図１７】目の写りを規定するパラメータの例を示す図である。
【図１８】写り選択画面の例を示す図である。
【図１９】写り選択画面の例を示す図である。
【図２０】写り選択画面の例を示す図である。
【図２１】写り選択画面の例を示す図である
【図２２】写り選択画面の例を示す図である。
【図２３】編集画面の例を示す図である。
【図２４】写り選択画面の第１の変形例を示す図である。
【図２５】写り選択画面の第２の変形例を示す図である。
【図２６】写り選択画面の第３の変形例を示す図である。
【図２７】写り選択画面の第４の変形例を示す図である。
【図２８】写り選択画面の第５の変形例を示す図である。
【図２９】写り選択画面の第６の変形例を示す図である。
【図３０】写り選択画面の第７の変形例を示す図である。
【図３１】写り選択画面の第８の変形例を示す図である。
【図３２】写り選択画面の第９の変形例を示す図である。
【図３３】写り選択画面の第１０の変形例を示す図である。
【図３４】写り選択画面の第１１の変形例を示す図である。
【図３５】写り選択画面の第１２の変形例を示す図である。
【図３６】写り選択画面の例を示す図である。
【図３７】写り選択画面の変形例を示す図である。
【発明を実施するための形態】
【００２０】
＜＜写真シール作成装置の構成＞＞
＜写真シール作成装置の外観構成＞
図１および図２は、写真シール作成装置１の外観の構成例を示す斜視図である。
【００２１】
写真シール作成装置１は、撮影作業や編集作業を利用者にゲームとして行わせ、画像を提供するゲーム機である。写真シール作成装置１は撮影装置としての機能を有する。画像の提供は、シール紙に印刷した形で行われるだけでなく、サーバに送信した画像を利用者の携帯端末上で閲覧可能にする形で行われることもある。写真シール作成装置１はゲームセンターなどの店舗に設置される。
【００２２】
写真シール作成装置１で遊ぶ利用者は、自身が被写体となって撮影作業を行う。また、利用者は、撮影によって得られた撮影画像に手書きの文字やスタンプ画像などの合成用画像を合成させるなどして、撮影画像を彩り豊かな画像に編集する。利用者は、編集済みの撮影画像である編集画像が印刷されたシール紙を受け取って一連のゲームを終了させる。写真シール作成装置１の利用者は、主に、２人、３人等の複数人からなる利用者のグループである。
【００２３】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２４】
撮影ユニット１１は、撮影部２１と背景部２２から構成される。撮影部２１と背景部２２は離して設置される。撮影部２１と背景部２２の間に設けられる空間が、利用者が撮影作業を行う撮影空間となる。
【００２５】
撮影部２１は、利用者を被写体とした撮影処理を行う装置である。撮影空間に臨む撮影部２１の正面にはカメラなどが設けられる。撮影部２１の、編集ユニット１２と接する面には正面パネル４１が設けられる（図２）。撮影空間にいて正面を向いている利用者から見て右側の面を右側面、左側の面を左側面とすると、撮影部２１の右側面が側面パネル４２Ａにより構成され、左側面が側面パネル４２Ｂ（図３）により構成される。
【００２６】
背景部２２は、それぞれ板状の部材である背面パネル５１、側面パネル５２Ａ、および側面パネル５２Ｂ（図３）から構成される。背面パネル５１は、正面を向いて撮影作業を行っている利用者の背面側に位置する。側面パネル５２Ａと側面パネル５２Ｂは、それぞれ、背面パネル５１の右端と左端に取り付けられる。
【００２７】
撮影部２１の右側面を構成する側面パネル４２Ａと背景部２２の側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２８】
撮影部２１の左側面を構成する側面パネル４２Ｂと背景部２２の側面パネル５２Ｂも同様にほぼ同一平面に設けられる。側面パネル４２Ａと側面パネル５２Ａの上部は連結部３１Ｂによって連結される。側面パネル４２Ａと側面パネル５２Ａの下部は、床面に設けた金属製の部材（図示せず）によって連結される。
【００２９】
撮影部２１の側面パネル４２Ａ、連結部３１Ａ、および背景部２２の側面パネル５２Ａに囲まれることによって形成される開口が撮影空間の出入り口となる。また、撮影部２１の側面パネル４２Ｂ、連結部３１Ｂ、および背景部２２の側面パネル５２Ｂに囲まれることによって形成される開口も撮影空間の出入り口となる。
【００３０】
背景部２２の上部には、背面パネル５１、側面パネル５２Ａ、および側面パネル５２Ｂに支持される形で背景カーテンユニット３３が設けられる。背景カーテンユニット３３には、利用者の背景として撮影画像に写る背景カーテンが収納される。背景カーテンユニット３３は、撮影と連動し、例えば緑色のクロマキー用のカーテンを下ろす。背景カーテンユニット３３による背景カーテンの昇降は撮影コースなどに応じて行われる。
【００３１】
撮影空間の上方には、撮影部２１の正面パネル４１、連結部３１Ａ、連結部３１Ｂ、および背景カーテンユニット３３に囲まれる開口が形成される。その開口には、開口の一部を覆うように天井ストロボユニット３２が設けられる。天井ストロボユニット３２の一端が連結部３１Ａに固定され、他端が連結部３１Ｂに固定される。
【００３２】
天井ストロボユニット３２は、撮影空間内に向けて光を照射するストロボを内蔵する。天井ストロボユニット３２の内部には、ストロボの他に蛍光灯が設けられており、撮影空間の照明としても機能する。
【００３３】
編集ユニット１２は、一方の側面が撮影部２１の正面パネル４１に接するように撮影ユニット１１に連結して設けられる。編集ユニット１２は、撮影画像の編集処理を行う装置である。編集ユニット１２には、編集時に利用者により用いられるタブレット内蔵モニタなどの構成が設けられる。
【００３４】
図２に示す編集ユニット１２の構成を正面側の構成とすると、２組の利用者が同時に編集を行うことができるように、編集ユニット１２の正面側と背面側には編集に用いられる構成がそれぞれ設けられる。
【００３５】
図２に示すように、編集ユニット１２の正面側は、床面に対して垂直であり、撮影部２１の側面パネル４２Ａとほぼ平行な面１２Ａと、面１２Ａの上方に形成された斜面１２Ｂから構成される。斜面１２Ｂには、編集作業に用いられる構成が設けられる。
【００３６】
斜面１２Ｂの上方右側には、照明装置７３の一端を支持する柱状の支持部７１Ａが設けられる。斜面１２Ｂの左側には、照明装置７３の他端を支持する柱状の支持部７１Ｂ（図２）が設けられる。支持部７１Ａの右側には板状のパネル７２が設けられる。パネル７２の上面にはカーテンレール７５を支持する支持部７４が設けられる。
【００３７】
編集ユニット１２の上方にはカーテンレール７５が取り付けられる。カーテンレール７５は、３本のレール７５Ａ乃至７５Ｃを、上から見たときの形状がコの字状となるように組み合わせることによって構成される。平行に設けられるレール７５Ａとレール７５Ｂの一端は、連結部３１Ａと連結部３１Ｂにそれぞれ固定され、他端にレール７５Ｃの両端が接合される。
【００３８】
カーテンレール７５には、編集ユニット１２の正面前方の空間と背面前方の空間の内部が外から見えないようにカーテンが取り付けられる。カーテンレール７５に取り付けられたカーテンにより囲まれる編集ユニット１２の正面前方の空間と背面前方の空間が、利用者が撮影画像の編集を行う編集空間となる。
【００３９】
編集ユニット１２の側面１２Ｃの下方には、印刷済みのシール紙が排出されるシール紙排出口１４２が設けられる。側面１２Ｃの前方の空間が、印刷が終了するのを利用者が待つ印刷待ち空間となる。
【００４０】
ここで、写真シール作成ゲームの流れと、それに伴う利用者の移動について説明する。
【００４１】
図３は、写真シール作成装置１を上から見た平面図である。
【００４２】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入る。利用者は、撮影空間Ａ１において、撮影部２１に設けられたカメラやタッチパネルモニタなど利用して撮影作業を行う。出入り口Ｇ１は側面パネル４２Ａと側面パネル５２Ａの間の開口であり、出入り口Ｇ２は側面パネル４２Ｂと側面パネル５２Ｂの間の開口である。
【００４３】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４４】
編集空間Ａ２−１は、編集ユニット１２の正面側の編集空間である。一方、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。
【００４５】
編集空間Ａ２−１または編集空間Ａ２−２に移動した利用者は、撮影画像の編集を開始する。編集空間Ａ２−１の利用者と、編集空間Ａ２−２の利用者は同時に編集を行うことができる。
【００４６】
編集が終了した後、編集画像の印刷が開始される。画像の印刷中、編集空間Ａ２−１での編集を終えた利用者は、白抜き矢印＃５で示すように編集空間Ａ２−１から印刷待ち空間Ａ３に移動して事後選択を行う。また、編集空間Ａ２−２での編集を終えた利用者は、白抜き矢印＃６で示すように編集空間Ａ２−２から印刷待ち空間Ａ３に移動して事後選択を行う。事後選択には、サーバに送信する画像の選択、ユーザが持つ携帯端末のメールアドレスの入力が含まれる。
【００４７】
画像の印刷が終了したとき、利用者は、シール紙排出口１４２からシール紙を受け取り、一連のゲームを終える。
【００４８】
＜各ユニットの構成＞
次に、各ユニットの構成について説明する。
【００４９】
図４は、撮影部２１の正面の構成例を示す図である。撮影部２１は、複数のキャスターが取り付けられた板部材４４に正面パネル４１、側面パネル４２Ａ、および側面パネル４２Ｂが取り付けられることによって構成される。
【００５０】
正面パネル４１の中央には凸部８１が形成される。凸部８１は、上底：下底の比を略１：５とし、下底の長さが正面パネル４１の横幅と同じ長さの等脚台形を上下逆様にした面を有する。
【００５１】
凸部８１のほぼ中央にはカメラユニット９１が設けられる。カメラユニット９１の正面には、内部に設けられるカメラ１０１のレンズが露出して設けられる。レンズの上には正面ストロボ１０２が設けられる。
【００５２】
カメラ１０１は例えば一眼レフカメラである。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００５３】
正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００５４】
カメラユニット９１の下にタッチパネルモニタ９２が設けられる。タッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備える。タッチパネルモニタ９２には、カメラ１０１により取り込まれた動画像（ライブビュー）や撮影画像が表示される。
【００５５】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００５６】
凸部８１の下には、上面が緩やかな斜面となる箱形状の足元ストロボ１１２が設けられる。足元ストロボ１１２は、利用者の下半身および足元を照射する。
【００５７】
足元ストロボ１１２の右側には箱形状のベース部１１３−１が設けられる。ベース部１１３−１の垂直面には、利用者が硬貨を入れる硬貨投入口１１４が設けられる。足元ストロボ１１２の左側には箱形状のベース部１１３−２が設けられる。
【００５８】
足元ストロボ１１２の上面を挟んで右側と左側にあるベース部１１３−１の上面１１３−１Ａとベース部１１３−２の上面１１３−２Ａは、撮影作業を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００５９】
図５は、背景部２２の撮影空間Ａ１側の構成例を示す図である。
【００６０】
背面パネル５１の上方には背景カーテンユニット３３が設けられる。また、背面パネル５１の上方の出入り口Ｇ１側（図中、左側）には背面右ストロボ１２１が取り付けられ、出入り口Ｇ２側（図中、右側）には背面左ストロボ１２２が取り付けられる。背面右ストロボ１２１は、撮影空間Ａ１内で撮影処理を行っている利用者を右後方から照射する。背面左ストロボ１２２は、撮影空間Ａ１内で撮影処理を行っている利用者を左後方から照射する。
【００６１】
図６は、編集ユニット１２の正面側（編集空間Ａ２−１側）の構成例を示す図である。
【００６２】
斜面１２Ｂのほぼ中央にはタブレット内蔵モニタ１３１が設けられる。タブレット内蔵モニタ１３１を挟んで左側にタッチペン１３２Ａが設けられ、右側にタッチペン１３２Ｂが設けられる。
【００６３】
タブレット内蔵モニタ１３１は、タッチペン１３２Ａまたはタッチペン１３２Ｂを用いて操作入力が可能なタブレットがLCDなどのモニタに重畳して設けられることによって構成される。
【００６４】
タブレット内蔵モニタ１３１には編集画面などの各種の画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６５】
図７は、編集ユニット１２の右側面の構成例を示す図である。
【００６６】
編集ユニット１２の側面１２Ｃと略同一面を構成するパネル７２にはタブレット内蔵モニタ１４１が設けられる。タブレット内蔵モニタ１４１には、事後選択機能を利用するときに用いられる画面が表示される。
【００６７】
タブレット内蔵モニタ１４１の下にはシール紙排出口１４２が設けられる。編集ユニット１２の内部にはプリンタが設けられている。編集空間Ａ２−１の利用者が写る画像、または、編集空間Ａ２−２の利用者が写る画像が所定のレイアウトでシール紙に印刷され、シール紙排出口１４２から排出される。シール紙排出口１４２の下には、事後選択機能の案内音声、BGM、効果音等などを出力するスピーカ１４３が設けられる。
【００６８】
＜写真シール作成装置の内部構成＞
図８は、写真シール作成装置１の内部の構成例を示すブロック図である。上述した構成と同じ構成には同じ符号を付してある。重複する説明については適宜省略する。
【００６９】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影処理部２０８、編集処理部２０９Ａ、編集処理部２０９Ｂ、および事後選択処理部２１０の各構成も接続される。
【００７０】
記憶部２０２は、ハードディスクやフラッシュメモリなどの不揮発性の記憶媒体である。記憶部２０２は、制御部２０１から供給された各種の設定情報等を記憶する。記憶部２０２に記憶されている情報は制御部２０１により適宜読み出される。
【００７１】
通信部２０３は、インターネットなどのネットワークのインタフェースである。通信部２０３は、制御部２０１による制御に従って外部の装置と通信を行う。通信部２０３は、例えば編集時に利用者により作成された携帯送信用の画像をサーバに送信する。通信部２０３から送信された画像は、サーバにおいて所定のURLの記憶領域が割り当てられて保存され、アクセスしてきた携帯端末のディスプレイに表示される。
【００７２】
ドライブ２０４には、光ディスクや半導体メモリなどよりなるリムーバブルメディア２０５が適宜装着される。リムーバブルメディア２０５からドライブ２０４により読み出されたコンピュータプログラムやデータは、制御部２０１に供給され、記憶部２０２に記憶されたり、インストールされたりする。
【００７３】
ROM２０６には、制御部２０１において実行されるプログラムやデータが記憶されている。RAM２０７は、制御部２０１が処理するデータやプログラムを一時的に記憶する。
【００７４】
撮影処理部２０８は、撮影空間Ａ１にいる利用者を対象とした撮影処理を行う。撮影処理部２０８は、硬貨処理部２２１、背景制御部２２２、照明装置２２３、カメラ１０１、タッチパネルモニタ９２、およびスピーカ２２４から構成される。
【００７５】
硬貨処理部２２１は、硬貨投入口１１４に対する硬貨の投入を検出する。硬貨処理部２２１は、例えば４００円などの所定の金額分の硬貨が投入されたことを検出した場合、そのことを表す起動信号を制御部２０１に出力する。
【００７６】
背景制御部２２２は、制御部２０１から供給される背景制御信号に従って、背景カーテンユニット３３による背景カーテン（クロマキー用カーテン）の昇降を制御する。
【００７７】
照明装置２２３は、撮影空間Ａ１内の各ストロボであり、制御部２０１から供給される照明制御信号に従って発光する。撮影空間Ａ１には、天井ストロボユニット３２のストロボの他に、撮影部２１の正面ストロボ１０２、上ストロボ１１１、足元ストロボ１１２、背景部２２の背面右ストロボ１２１、背面左ストロボ１２２が設けられる。
【００７８】
撮影部としてのカメラ１０１は、制御部２０１による制御に従って撮影し、撮影することによって得られた撮影画像を制御部２０１に出力する。
【００７９】
編集処理部２０９Ａは、編集空間Ａ２−１にいる利用者を対象とした編集処理を行う。編集処理部２０９Ａは、タブレット内蔵モニタ１３１、タッチペン１３２Ａ，１３２Ｂ、およびスピーカ２３１から構成される。編集処理部２０９Ｂは、編集処理部２０９Ａと同一の構成を有しており、編集空間Ａ２−２にいる利用者を対象とした編集処理を行う。
【００８０】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８１】
事後選択処理部２１０は、印刷待ち空間Ａ３にいる利用者を対象とした事後選択処理を行う。事後選択処理は、事後選択を利用者に行わせる処理である。事後選択処理部２１０は、タブレット内蔵モニタ１４１、スピーカ１４３から構成される。
【００８２】
プリンタ２４１は、制御部２０１から供給された印刷データに基づいて、シール紙ユニット２４２に収納されているシール紙に編集画像を印刷する。プリンタ２４１は、編集画像を所定のレイアウトで印刷したシール紙をシール紙排出口１４２に排出する。
【００８３】
図９は、制御部２０１の機能構成例を示すブロック図である。図９に示す機能部のうちの少なくとも一部は、制御部２０１のCPUにより所定のプログラムが実行されることによって実現される。
【００８４】
制御部２０１においては、撮影制御部２５１、編集制御部２５２、印刷制御部２５３、および事後選択制御部２５４が実現される。
【００８５】
撮影制御部２５１は、撮影処理部２０８の各部を制御し、写真シール作成装置１を利用する際に投入される代金に関する処理や撮影処理を行う。撮影処理を行うことによって得られた撮影画像は編集制御部２５２に供給される。
【００８６】
編集制御部２５２は、編集処理部２０９Ａ、編集処理部２０９Ｂの各部を制御し、編集処理を行う。編集処理を行うことによって得られた編集画像は印刷制御部２５３に供給される。
【００８７】
図１０は、編集画像のレイヤ構造の例を示す図である。
【００８８】
図１０に示すレイヤ構造を有する編集画像Ｐ１が編集処理によって生成される。編集画像Ｐ１は、背景画像Ｐ１１、撮影画像Ｐ１２、前景画像Ｐ１３の各レイヤから構成される。
【００８９】
背景画像Ｐ１１は、所定の色の地にハートや星などの模様が表された画像である。前景画像Ｐ１３は、利用者によって入力された「Love my friend」の手書き文字を含む画像である。編集画像Ｐ１は、クロマキー処理によって抽出した撮影画像Ｐ１２の被写体の領域を背景画像Ｐ１１に重ね、その上に前景画像Ｐ１３を重ねることによって生成される。
【００９０】
後述するように、編集前、利用者は、撮影画像Ｐ１２の写りの選択を行う。写りの選択は、写りを規定するパラメータを変更して生成された複数の画像の中から、所定の画像を選択することによって行われる。
【００９１】
ここで、写りは、撮影画像の見え方、より具体的には見栄えおよび被写体の写真映りなどを含む視覚的な印象を表す。写りを規定するパラメータの変更は、撮影画像を元にして、撮影画像の全体または一部の見え方を変更する画像処理に相当する。写りを規定するパラメータの変更は、撮影画像のみを元にしており、合成用画像などを用いていない点で、上述した編集とは異なる画像処理である。
【００９２】
編集制御部２５２は、利用者による操作に従って、このようなパラメータの変更をも行う。また、編集制御部２５２は、編集時に生成した携帯送信用の画像を事後選択制御部２５４に出力する。
【００９３】
編集制御部２５２が制御する編集処理には、撮影画像の写りを規定するパラメータを変更する画像処理、合成用画像などを撮影画像に合成することによって編集画像を生成する編集（落書き）、編集画像をシール紙に印刷するときのレイアウトの選択などが含まれる。
【００９４】
図９の印刷制御部２５３は、プリンタ２４１を制御し、印刷処理を行う。
【００９５】
事後選択制御部２５４は、事後選択処理部２１０のタブレット内蔵モニタ１４１を制御するなどして事後選択処理を行う。事後選択処理により、編集制御部２５２から供給された携帯送信用の画像がサーバに送信される。
【００９６】
図１１は、編集制御部２５２の機能構成例を示すブロック図である。
【００９７】
編集制御部２５２は、変更処理部２６１、表示制御部２６２、および編集画像生成部２６３から構成される。編集処理の開始時、撮影処理によって得られた撮影画像が撮影制御部２５１から編集制御部２５２に供給される。撮影処理においては複数回撮影されており、複数の撮影画像が編集制御部２５２の変更処理部２６１と表示制御部２６２に入力される。
【００９８】
変更処理部２６１は、複数の撮影画像を取得し、撮影画像の写りを規定するパラメータを変更する画像処理を行う。変更処理部２６１は、例えば、複数の撮影画像の中から選択された１枚の撮影画像に対して、度合いの異なるパラメータを用いて複数種類の画像処理を施す。変更処理部２６１による画像処理により、１枚の撮影画像を元にして、構図は同じであるが、写りが異なる複数の画像が生成される。
【００９９】
以下、適宜、撮影画像の写りを規定するパラメータを変更することによって生成される結果の画像を「変更結果画像」という。
【０１００】
また、適宜、撮影画像の写りを規定するパラメータを変更して画像処理を行うことを「写りの調整」という。
【０１０１】
写りが異なる複数の変更結果画像はタブレット内蔵モニタ１３１に表示され、どの写りがよいのかを選択するための見本として用いられる。変更処理部２６１は、画像処理を施すことによって生成した複数の変更結果画像を表示制御部２６２に出力する。
【０１０２】
所定の写りが選択されたとき、変更処理部２６１は、選択された写りの変更結果画像を生成するために用いたパラメータと同じパラメータを用いて、複数の撮影画像のそれぞれに同じ画像処理を施す。変更処理部２６１は、同じ写りになるように画像処理を施して得られた複数の変更結果画像を編集画像生成部２６３に出力する。
【０１０３】
表示制御部２６２は、タブレット内蔵モニタ１３１の表示を制御する。例えば、表示制御部２６２は、編集画面を表示する前、写り選択画面をタブレット内蔵モニタ１３１に表示させる。写り選択画面は、好みの写りの選択に利用者により用いられる画面である。
【０１０４】
表示制御部２６２は、写り選択画面に、１枚の撮影画像を元にして生成された複数の変更結果画像を並べて表示させるとともに、撮影制御部２５１から供給された複数の撮影画像のサムネイルを並べて表示させる。また、表示制御部２６２は、写りの調整が終わったとき、編集画面をタブレット内蔵モニタ１３１に表示させる。
【０１０５】
編集画像生成部２６３は、変更処理部２６１から供給された撮影画像（変更結果画像）を利用者の操作に応じて編集する。編集画像生成部２６３は、合成用画像を合成させるなどの編集を行うことによって生成した編集画像を表示制御部２６２に出力し、編集画面に表示させる。編集処理が終了したとき、編集画像生成部２６３は、生成した複数の編集画像を印刷制御部２５３に出力する。
【０１０６】
＜＜写真シール作成装置の動作＞＞
＜写真シール作成処理＞
次に、以上のような構成を有する写真シール作成装置１の動作について説明する。
【０１０７】
はじめに、図１２のフローチャートを参照して、シール作成ゲームを提供する写真シール作成装置１の一連の処理について説明する。図１２の処理は、所定の金額分の硬貨が硬貨投入口１１４に投入されたときに開始される。
【０１０８】
ステップＳ１において、撮影制御部２５１は撮影処理を行う。撮影処理においては、撮影空間Ａ１にいる利用者が撮影される。撮影処理の詳細については、図１３のフローチャートを参照して後述する。
【０１０９】
ステップＳ２において、撮影制御部２５１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１１０】
ステップＳ３において、編集制御部２５２は、編集空間Ａ２−１と編集空間Ａ２−２のうち、撮影を終えた利用者の移動先とした方の編集空間に対応する編集処理部２０９Ａまたは編集処理部２０９Ｂを制御して編集処理を行う。
【０１１１】
編集処理において、編集制御部２５２は、タブレット内蔵モニタ１３１に写り選択画面を表示させ、撮影画像の写りの選択を行わせる。また、編集制御部２５２は、タブレット内蔵モニタ１３１に編集画面を表示させ、タッチペン１３２Ａ，１３２Ｂを用いて行われる利用者の操作に応じて撮影画像を編集する。編集の対象となる撮影画像は、写りの調整後の画像である。編集処理の詳細については、図１６のフローチャートを参照して後述する。
【０１１２】
ステップＳ４において、編集制御部２５２は、編集処理を終えた利用者に対して印刷待ち空間Ａ３への移動を案内する。印刷待ち空間Ａ３への移動の案内は、タブレット内蔵モニタ１３１に画面を表示させることによって、または音声をスピーカ２３１から出力させることによって行われる。
【０１１３】
ステップＳ５において、印刷制御部２５３は、利用者により選択されたレイアウトに従って、編集画像をシール紙に印刷する。レイアウトの選択は、例えば編集終了後、タブレット内蔵モニタ１３１に表示される画面を用いて行われる。レイアウトが選択された場合、編集制御部２５２により印刷データが生成され、編集画像がシール紙に印刷される。
【０１１４】
ステップＳ６において、事後選択制御部２５４は、印刷が終わるのを待っている利用者に対する事後選択処理を行う。事後選択制御部２５４は、携帯送信用の画像をサーバに送信する処理などを事後選択処理として行う。
【０１１５】
印刷が終了した場合、ステップＳ７において、事後選択制御部２５４は、画像が印刷されたシール紙をシール紙排出口１４２に排出させ、処理を終了する。
【０１１６】
＜撮影処理の例＞
次に、図１３のフローチャートを参照して、図１２のステップＳ１において行われる撮影処理について説明する。
【０１１７】
ステップＳ２１において、撮影制御部２５１は、タッチパネルモニタ９２にコース選択画面を表示させる。コース選択画面は、撮影コースの選択に用いられる画面である。写真シール作成装置１が提供する撮影コースには、第１のコースであるbeautyコースと、第２のコースであるedgyコースとの２種類のコースがある。
【０１１８】
beautyコースは、利用者の略胸より上の範囲が大きく写るアップ画像の撮影を５回行うコースである。一方、edgyコースは、アップ画像の撮影を３回、全身が写る全身画像の撮影を２回行うコースである。
【０１１９】
図１４は、アップ画像と全身画像の例を示す図である。
【０１２０】
図１４Ａに示す画像はアップ画像である。アップ画像の撮影時、カメラ１０１により撮影された静止画のうちの所定の範囲がトリミングにより切り出され、図１４Ａに示すような、利用者の胸付近から頭の上までの範囲が写るアップ画像が取得される。
【０１２１】
図１４Ｂに示す画像は全身画像である。全身画像の撮影時、カメラ１０１により撮影された静止画が例えばそのまま用いられ、図１４Ｂに示すような、利用者の全身が写るアップ画像が取得される。
【０１２２】
beautyコースを選択した場合、図１４Ａに示すようなアップ画像が５枚取得される。また、edgyコースを選択した場合、図１４Ａに示すようなアップ画像が３枚取得され、図１４Ｂに示すような全身画像が２枚取得される。
【０１２３】
なお、beautyコースを選択した場合の撮影とedgyコースを選択した場合の撮影とでは、クロマキーカーテンの有無、撮影時に照射するフラッシュ光の強度、フラッシュ光の性質などにも違いがある。また、適宜、トリミングにより切り取る範囲を斜めに設定し、利用者が斜めに写るアップ画像または全身画像を撮影するようにしてもよい。
【０１２４】
タッチパネルモニタ９２に表示されるコース選択画面には、beautyコースを選択する場合に操作されるボタンとedgyコースを選択する場合に操作されるボタンが表示される。利用者は、タッチパネルモニタ９２の表面に指で触れるなどしていずれの撮影コースで撮影作業を行うのかを選択する。
【０１２５】
撮影コースが選択された場合、ステップＳ２２において、撮影制御部２５１は、カメラ１０１による動画の撮影を開始し、利用者の上半身が映るライブビューの表示を開始する。撮影制御部２５１は、カメラ１０１により撮影した動画の各フレームから、アップ画像の撮影範囲と同じ範囲をトリミングにより切り出し、タッチパネルモニタ９２に表示させる。
【０１２６】
図１５は、ライブビューの表示例を示す図である。
【０１２７】
タッチパネルモニタ９２の略中央にはライブビュー表示領域２７１が形成される。ライブビュー表示領域２７１は、カメラ１０１により取り込まれた動画に基づいて生成されたライブビューの表示領域である。
【０１２８】
図１５の例においては、顔を含む、２人の利用者の上半身がアップで映る動画が表示されている。このようなライブビューを見て、利用者は自分達の写りを確認することになる。
【０１２９】
ライブビュー表示領域２７１の下には、撮影済みの撮影画像のサムネイルが表示される撮影結果表示領域２７２−１乃至２７２−５が並べて形成される。撮影結果表示領域２７２−１乃至２７２−５には、それぞれ、撮影が行われる毎に、撮影画像のサムネイルが順に表示される。
【０１３０】
beautyコースが選択され、ライブビューの表示を開始してから所定の時間が経過した後、ステップＳ２３において、撮影制御部２５１は１枚目のアップ画像を撮影する。撮影制御部２５１は、撮影結果として得られたアップ画像のサムネイルを撮影結果表示領域２７２−１に表示し、ライブビューの表示を続ける。
【０１３１】
なお、各撮影の前には、タッチパネルモニタ９２の画面表示やスピーカ２２４からの音声によって、「３、２、１」などのカウントダウンが行われる。
【０１３２】
beautyコースにおいては、以上のようなアップ画像の撮影が５回繰り返される。すなわち、１枚目の撮影が終わってから所定の時間が経過したとき、ステップＳ２４において、撮影制御部２５１は２枚目のアップ画像を撮影する。また、ステップＳ２５乃至Ｓ２７において、撮影制御部２５１は、３〜５枚目のアップ画像を撮影する。
【０１３３】
アップ画像の撮影を５回繰り返したとき、ステップＳ２８において、撮影制御部２５１は、５枚の撮影画像を記憶する。その後、図１２のステップＳ１に戻り、それ以降の処理が行われる。
【０１３４】
一方、edgyコースが選択され、ライブビューの表示を開始してから所定の時間が経過した後、ステップＳ２９において、撮影制御部２５１は１枚目のアップ画像を撮影する。撮影制御部２５１は、撮影結果として得られたアップ画像のサムネイルを撮影結果表示領域２７２−１に表示し、ライブビューの表示を続ける。
【０１３５】
ステップＳ３０，Ｓ３１において、撮影制御部２５１は、２枚目、３枚目のアップ画像を撮影する。
【０１３６】
ステップＳ３２において、撮影制御部２５１は、カメラ１０１により撮影された動画に基づいて、利用者の全身が映るライブビューの表示を開始する。edgyコースで行われる５回の撮影のうち、１〜３回目の撮影はアップ画像の撮影であり、４，５回目の撮影は全身画像の撮影である。タッチパネルモニタ９２のライブビュー表示領域２７１は、カメラ１０１により取り込まれた動画に基づいて、利用者の全身が映るライブビューが表示される。
【０１３７】
ステップＳ３３において、撮影制御部２５１は、１枚目の全身画像を撮影する。撮影制御部２５１は、撮影結果として得られた全身画像のサムネイルを撮影結果表示領域２７２−４に表示し、利用者の全身が写るライブビューの表示を続ける。
【０１３８】
ステップＳ３４において、撮影制御部２５１は、１枚目の全身画像の撮影から所定の時間が経過したとき、２枚目の全身画像を撮影する。
【０１３９】
３枚のアップ画像と２枚の全身画像の撮影を終えたとき、ステップＳ２８において、撮影制御部２５１は、それらの５枚の撮影画像を記憶する。その後、図１２のステップＳ１に戻り、それ以降の処理が行われる。
【０１４０】
このように、beautyコースにおいては、５枚のアップ画像が撮影結果として取得され、edgyコースにおいては、３枚のアップ画像と２枚の全身画像が撮影結果として取得される。
【０１４１】
＜編集処理の例＞
次に、図１６のフローチャートを参照して、図１２のステップＳ３において行われる編集処理について説明する。
【０１４２】
ステップＳ５１において、編集制御部２５２の変更処理部２６１は、撮影制御部２５１から供給された５枚の撮影画像を取得する。撮影制御部２５１により撮影された撮影画像は表示制御部２６２にも供給される。
【０１４３】
ステップＳ５２において、変更処理部２６１は、１枚の撮影画像に対して、異なるパラメータを用いて画像処理を施し、写りが異なる複数の変更結果画像を生成する。例えば、利用者による撮影画像の選択前、５枚の撮影画像のうち、１枚目の撮影画像が変更結果画像の生成に用いられる。
【０１４４】
変更処理部２６１が最適であると判断した撮影画像が変更結果画像の元になる画像として選択されるようにしてもよい。例えば、目線がカメラ１０１の方向を向いている撮影画像、顔が最も大きく写っている撮影画像を変更結果画像の生成に用いることにより、写りを見比べるのに適した変更結果画像を生成することが可能になる。
【０１４５】
ここでは、撮影画像の写りの調整として、目の写りの調整と、肌の明るさの調整が行われる場合について説明する。
【０１４６】
目の写りの調整は、例えば、撮影画像から抽出した利用者の目の領域に対して、目の写りを規定するパラメータを変更し、パラメータを変更した目の領域を、抽出元の撮影画像に合成することによって行われる。また、肌の明るさの調整は、撮影画像に写る利用者の肌の領域を検出し、検出した領域の明るさを変更することによって行われる。
【０１４７】
図１７は、目の写りを規定するパラメータの例を示す図である。
【０１４８】
図１７の例においては、目の写りは、目の大きさ、黒目の色、ぼかしの有り無しの３種類のパラメータの組み合わせによって規定される。
【０１４９】
目の大きさは、「最大」、「大」、「中」、「小」の４種類のうちのいずれかの大きさを画像処理に用いることが可能とされる。目の大きさの変更は、目の横幅、縦幅、目に外接する長方形（縦幅×横幅）の面積を、「最大」、「大」、「中」、「小」の各段階に対応する所定の割合で変更することによって行われる。
【０１５０】
黒目の色は、「黒色」と「茶色」の２種類のうちのいずれかの色を画像処理に用いることが可能とされる。目の色の変更は、瞳に対応する画素の所定の色成分を変更することと、瞳に対応する画素の明度を変更することのうちの少なくともいずれかによって行われる。色成分を変更した方が、明度を変更するよりも、色味の調整をより精密に行うことができる。
【０１５１】
ぼかしの有りなしは、目の輪郭などの目の少なくとも一部にぼかし処理を施すか否かを表す。ぼかし処理を施すことによって、目の輪郭のコントラストが低めになる。
【０１５２】
図１７の例においては、目の写りとして、「ナチュラルEYE」、「おすすめEYE」、「ライトボリュームEYE」、「ボリュームEYE」の名前が設定された４種類の写りが用意されている。利用者は、４種類の写りの中から所定の写りを選択することができる。
【０１５３】
「ナチュラルEYE」は、目の大きさが「小」、黒目の色が「黒色」、ぼかしの有り無しが「無し」の組み合わせによって規定される写りである。
【０１５４】
「おすすめEYE」は、目の大きさが「中」、黒目の色が「黒色」、ぼかしの有り無しが「無し」の組み合わせによって規定される写りである。
【０１５５】
「ライトボリュームEYE」は、目の大きさが「大」、黒目の色が「茶色」、ぼかしの有り無しが「有り」の組み合わせによって規定される写りである。
【０１５６】
「ボリュームEYE」は、目の大きさが「最大」、黒目の色が「黒色」、ぼかしの有り無しが「無し」の組み合わせによって規定される写りである。
【０１５７】
目の写りを規定するパラメータが３種類ではなく、さらに多くのパラメータによって規定されるようにしてもよい。また、５種類以上の目の写りが用意されており、その中から利用者が目の写りを選択することができるようにしてもよい。
【０１５８】
なお、各パラメータの値を図１７に示す値以外に準備し、それらを組合せて目の写りの種類を規定することも可能である。写りの所定の種類を準備して提示し、その中から利用者に選択させることもできるし、各パラメータの値を組合せることによって写りの種類を利用者に創作させ、利用者自身が創作した目の写りを選択させることも可能である。
【０１５９】
変更処理部２６１は、１枚の撮影画像に写る目の領域を抽出し、それぞれのパラメータの組み合わせを用いた画像処理を施す。
【０１６０】
例えば、変更処理部２６１は、抽出した目の領域の大きさを「小」、黒目の色を「黒色」、ぼかしを「無し」としてパラメータを変更する。変更処理部２６１は、設定したパラメータに従って、抽出した目の領域の大きさを小さくするとともに、黒目の色を黒色に変更する画像処理を行うことによって、目の写りが「ナチュラルEYE」の変更結果画像を生成する。
【０１６１】
「おすすめEYE」、「ライトボリュームEYE」、「ボリュームEYE」の変更結果画像についても同様にして生成される。変更処理部２６１は、１枚の撮影画像を元にして生成した４枚の変更結果画像を表示制御部２６２に出力する。
【０１６２】
ステップＳ５３において、表示制御部２６２は、タブレット内蔵モニタ１３１に写り選択画面を表示させる。ここで表示される写り選択画面は、目の写りの選択に用いられる画面である。
【０１６３】
＜第１の実施例＞
図１８は、写り選択画面の例を示す図である。
【０１６４】
写り選択画面の上方中央には、目の写りを選択することを促すメッセージが表示される。メッセージの下には、変更結果表示領域３０１−１乃至３０１−４が並べて形成される。変更結果表示領域３０１−１乃至３０１−４には、それぞれ、「ナチュラルEYE」の目の写りを表す変更結果画像、「おすすめEYE」の目の写りを表す変更結果画像、「ライトボリュームEYE」の目の写りを表す変更結果画像、および「ボリュームEYE」の目の写りを表す変更結果画像が表示されている。
【０１６５】
各領域の上には、それぞれの領域に表示された変更結果画像の目の写りの名前が表示される。「ライトボリュームEYE」の目の写りを表す変更結果画像の右上には、おすすめの写りであることを表すアイコン３０２が表示されている。
【０１６６】
同じ１枚の撮影画像に基づいて生成された画像であるから、変更結果表示領域３０１−１乃至３０１−４には、構図は同じであるが、目の写りが異なる画像が並べて表示されることになる。変更結果表示領域３０１−１乃至３０１−４に示す人物の目の大きさや線の濃さが若干異なることは、それぞれ異なるパラメータを用いた画像処理によって生成された画像であることを表す。
【０１６７】
図１８の例においては、「おすすめEYE」の目の写りが選択され、変更結果表示領域３０１−２を囲むようにカーソルＣが表示されている。利用者は、タッチペン１３２Ａ，１３２Ｂを用いて他の変更結果画像を選択することにより、他の目の写りを選択することができる。
【０１６８】
変更結果表示領域３０１−１乃至３０１−４の下には、サムネイル表示領域３０３−１乃至３０３−５が並べて形成される。サムネイル表示領域３０３−１乃至３０３−５は、撮影画像を表すサムネイルの表示領域である。サムネイルは、元になる画像を縮小したり、解像度を落としたりして生成された画像である。図１８の写り選択画面において、サムネイル画像を用いて画像を選択すると、変更結果表示領域３０１−１乃至３０１−４の表示が切り替えられる。
【０１６９】
サムネイル表示領域３０３−１乃至３０３−５には、５枚の撮影画像のサムネイルが撮影順に表示される。サムネイル表示領域３０３−１乃至３０３−５は、それぞれ変更結果表示領域３０１−１乃至３０１−４より小さい。
【０１７０】
図１８の例においては、１人の人物の上半身が写るアップ画像のサムネイルがサムネイル表示領域３０３−１乃至３０３−５に表示されている。図１８に示す写り選択画面は、撮影コースとしてbeautyコースが選択された場合の画面である。
【０１７１】
また、図１８の例においては、５枚のサムネイルの中から、サムネイル表示領域３０３−１に表示されている１枚目の撮影画像のサムネイルが選択され、高いコントラストで表示されている。サムネイル表示領域３０３−１の下に表示されているアイコン３０４は、１枚目の撮影画像が選択中であることを表す。アイコン３０４を表示することにより、選択中のサムネイル画像を囲むようにカーソルを表示してもしなくても、選択中の画像をより明確に利用者に提示することができる。
【０１７２】
図１８において、サムネイル表示領域３０３−１に表示されているサムネイルを濃く示していることは、１枚目の撮影画像のサムネイルが高いコントラストで表示されていることを表す。また、サムネイル表示領域３０３−２乃至３０３−５に表示されているサムネイルを薄く示していることは、２〜５枚目の撮影画像のサムネイルが低いコントラストで表示されていることを表す。
【０１７３】
このように、写り選択画面には、５枚の撮影画像のサムネイルが並べて表示されるとともに、５枚の撮影画像の中から選択された１枚の撮影画像に基づいて生成された変更結果画像が並べて表示される。
【０１７４】
利用者は、サムネイル表示領域３０３−１乃至３０３−５に表示されているサムネイルを選択することによって、変更結果表示領域３０１−１乃至３０１−４に表示させる変更結果画像を切り替えることができる。サムネイル表示領域３０３−１乃至３０３−５は、変更結果表示領域３０１−１乃至３０１−４に表示させる変更結果画像の選択を受け付ける領域でもある。
【０１７５】
例えば、サムネイル表示領域３０３−２のサムネイルが選択された場合、変更結果表示領域３０１−１乃至３０１−４には、２枚目の撮影画像に基づいて生成された変更結果画像が表示される。また、サムネイル表示領域３０３−１乃至３０３−５の表示も切り替えられ、選択中である２枚目の撮影画像のサムネイルが高いコントラストで表示される。
【０１７６】
サムネイル表示領域３０３−１乃至３０３−５の右側には、目の写りを確定するときに操作されるＯＫボタン３０５が表示される。タッチペン１３２Ａ，１３２Ｂを用いてＯＫボタン３０５が操作されたとき、カーソルＣが当てられている写りが選択される。
【０１７７】
このような写り選択画面が表示されることにより、利用者は、写りの調整の前後の画像を見比べることができる。
【０１７８】
また、異なるパラメータを用いて生成された変更結果画像が並べて表示されるため、利用者は、それぞれの写りの違いを相対的に評価することが可能になる。
【０１７９】
図１９は、写り選択画面の他の表示例を示す図である。
【０１８０】
図１９の写り選択画面は、それぞれの変更結果画像の上に、目の写りを表すアイコンが表示されている点で、図１８の画面と異なる。また、図１９の写り選択画面における変更結果画像の並び順は、図１８の並び順と異なる。重複する説明については適宜省略する。以下の写り選択画面の説明においても同様である。
【０１８１】
変更結果表示領域３０１−１に表示される変更結果画像は、「ボリュームEYE」の目の写りを表す変更結果画像である。変更結果表示領域３０１−１の上に表示されているアイコン３１１−１は「ボリュームEYE」の目の写りを表す。
【０１８２】
変更結果表示領域３０１−２に表示される変更結果画像は、「ナチュラルEYE」の目の写りを表す変更結果画像である。変更結果表示領域３０１−２の上に表示されているアイコン３１１−２は「ナチュラルEYE」の目の写りを表す。
【０１８３】
変更結果表示領域３０１−３に表示される変更結果画像は、「おすすめEYE」の目の写りを表す変更結果画像である。変更結果表示領域３０１−３の上に表示されているアイコン３１１−３は「おすすめEYE」の目の写りを表す。
【０１８４】
変更結果表示領域３０１−４に表示される変更結果画像は、「ライトボリュームEYE」の目の写りを表す変更結果画像である。変更結果表示領域３０１−４の上に表示されているアイコン３１１−４は「ライトボリュームEYE」の目の写りを表す。
【０１８５】
このように、変更結果画像だけでなく、目の写りを表すアイコンが表示されるようにしてもよい。これにより、利用者は、目の写りの種類を直感的に確認することができる。
【０１８６】
表示制御部２６２は、このように、変更結果画像の並び順を、操作性やユーザの嗜好などに応じて適宜変えて表示させることも可能である。
【０１８７】
例えば、表示制御部２６２は、目の大きさが小さい順に変更結果画像を表示させることができる。この場合、例えば左から順に、「ナチュラルEYE」、「おすすめEYE」、「ライトボリュームEYE」、「ボリュームEYE」の変更結果画像が表示される。
【０１８８】
また、表示制御部２６２は、目の印象の派手さ（盛れ感）が派手な順に変更結果画像を表示させることができる。この場合、例えば左から順に、「ボリュームEYE」、「ライトボリュームEYE」、「おすすめEYE」、「ナチュラルEYE」の変更結果画像が表示される。
【０１８９】
表示制御部２６２は、利用者の年齢に応じて変更結果画像の並びを変えることができる。利用者の年齢は、例えば写りの調整を行う前に表示された画面を用いて利用者により選択される。撮影画像を解析することにより、利用者の年齢が特定されるようにしてもよい。
【０１９０】
「ナチュラルEYE」、「おすすめEYE」、「ライトボリュームEYE」、「ボリュームEYE」の固定の４つの写りの種類ではなく、年齢別に、適切なパラメータ値で調整した結果を複数種類用意し、それらを表示するようにしてもよい。パラメータ値の調整は、年代別の選択率に基づいて決定してもよいし、アンケート結果に基づいて決定してもよい。
【０１９１】
例えば利用者の年齢が１０代である場合、例えば左から順に、「ボリュームEYE」、「ライトボリュームEYE」、「おすすめEYE」、「ナチュラルEYE」の変更結果画像が表示される。また、利用者の年齢が２０代以降である場合、例えば左から順に、「ナチュラルEYE」、「おすすめEYE」、「ライトボリュームEYE」、「ボリュームEYE」の変更結果画像が表示される。
【０１９２】
筐体毎の選択率、写真シール作成装置１が設置されている地域における選択率などの、他の基準を用いて変更結果画像の並び順が決定されるようにしてもよい。
【０１９３】
図２０は、写り選択画面の他の表示例を示す図である。
【０１９４】
図２０に示す変更結果画像は、１枚の撮影画像に対して異なるパラメータを用いて画像処理を施し、画像処理を施すことによって得られた目の写りの調整後の撮影画像から、顔を中心とした範囲をトリミングによって切り出すことによって生成された画像である。サムネイルに表示される範囲と、変更結果画像に表示される範囲が異なることになる。
【０１９５】
人物の顔を中心とした範囲をトリミングにより切り出し、切り出した範囲の画像に写る目の写りを調整することによって変更結果画像が生成されるようにしてもよい。
【０１９６】
これにより、利用者は、それぞれの目の写りの違いを詳しく確認することができる。
【０１９７】
図１６のステップＳ５４において、変更処理部２６１は、異なる撮影画像が選択されたか否かを判定する。
【０１９８】
所定のサムネイルが選択され、異なる撮影画像が選択されたとステップＳ５４において判定した場合、ステップＳ５２に戻り、変更処理部２６１は、新たに選択された撮影画像に基づいて変更結果画像を生成する。表示制御部２６２は、ステップＳ５３において、新たに生成された変更結果画像を変更結果表示領域３０１−１乃至３０１−４に並べて表示させる。
【０１９９】
これにより、利用者は、変更結果表示領域３０１−１乃至３０１−４に表示させる変更結果画像を切り替えることができる。
【０２００】
一方、異なる撮影画像が選択されていないとステップＳ５４において判定した場合、ステップＳ５５において、変更処理部２６１は、目の写りが選択されたか否かを判定する。ＯＫボタン３０５が押された場合、目の写りが選択されたと判定される。
【０２０１】
目の写りが選択されていないとステップＳ５５において判定した場合、ステップＳ５４に戻り、それ以降の処理が繰り返される。
【０２０２】
一方、目の写りが選択されたとステップＳ５５において判定した場合、ステップＳ５６において、変更処理部２６１は、目の写りの選択に用いられた撮影画像の肌の明るさを調整する。
【０２０３】
例えば、図１８に示すように１枚目の撮影画像が表示されている状態で所定の目の写りが選択された場合、変更処理部２６１は、１枚目の撮影画像に対して、肌の明るさを変更する画像処理を施し、肌の明るさが異なる複数の変更結果画像を生成する。変更処理部２６１は、生成した変更結果画像を、肌の明るさの選択に用いられる画像として表示制御部２６２に出力する。
【０２０４】
明るさの選択に用いられる変更結果画像が、目の写りの調整後の撮影画像に基づいて生成されるようにしてもよい。この場合、変更処理部２６１は、目の写りの調整後の撮影画像の肌の明るさを調整することによって複数の変更結果画像を生成することになる。
【０２０５】
ステップＳ５７において、表示制御部２６２は、タブレット内蔵モニタ１３１に写り選択画面を表示させる。ここで表示される写り選択画面は、肌の明るさの選択に用いられる画面である。
【０２０６】
図２１は、写り選択画面の例を示す図である。
【０２０７】
写り選択画面の上方中央には、肌の明るさを選択することを促すメッセージが表示される。そのメッセージの下には、変更結果表示領域３２１−１乃至３２１−５が並べて形成される。変更結果表示領域３２１−１乃至３２１−５には、それぞれ、肌の明るさが異なる変更結果画像が表示されている。
【０２０８】
この例においては、パラメータとして５種類の明るさが用いられ、目の写りで選択した１枚目の撮影画像に基づいて生成された５枚の変更結果画像が表示されている。５枚の変更結果画像は、それぞれ肌の明るさが異なる画像である。変更結果表示領域３２１−１乃至３２１−５には、５枚の変更結果画像が、肌の明るさが暗いものから順に並べて表示される。
【０２０９】
このように、肌の明るさの写り選択画面には、目の写りの選択に用いられた画像と同じ画像が明るさの選択のための変更結果画像として表示される。これにより、利用者は、明るさの選択時に用いる変更結果画像を表示させるために、撮影画像を再度選択する必要がない。
【０２１０】
目の写りの選択時に変更結果画像の表示のために選択された撮影画像は、通常、利用者が、他の画像と写りを見比べる上で最適なものと考えて選択したものである。このように、目の写りの選択時に選択された撮影画像と同じ撮影画像を元にした変更結果画像を明るさの選択時に表示させることにより、利用者にとって見比べやすい、最適な変更結果画像を表示させることが可能になる。
【０２１１】
変更結果表示領域３２１−１，３２１−３，３２１−５の上には、それぞれ、明るさの名前を示す「美黒」、「オススメ」、「美白」の文字が表示される。
【０２１２】
図２１の例においては、「オススメ」の明るさが選択され、カーソルＣが変更結果表示領域３２１−３を囲むように表示されている。利用者は、タッチペン１３２Ａ，１３２Ｂを用いて他の変更結果画像を選択することにより、他の明るさを選択することができる。
【０２１３】
写り選択画面の右下には、明るさを確定するときに操作されるＯＫボタン３０５が表示される。ＯＫボタン３０５が操作されたとき、カーソルＣが当てられている明るさが選択される。
【０２１４】
このような写り選択画面が表示されることにより、利用者は、それぞれの明るさを選択した場合にどのような結果が得られるのかを、自分が写る撮影画像に基づいて生成された変更結果画像を相対的に比較して評価することができる。
【０２１５】
図１９の写り選択画面と同様に、肌の明るさの写り選択画面にも、５枚の撮影画像のサムネイルを並べて表示させることも可能である。この場合、利用者は、サムネイルを選択することによって、変更結果表示領域３２１−１乃至３２１−５に表示させる変更結果画像を切り替えることができることになる。
【０２１６】
ステップＳ５８において、変更処理部２６１は、肌の明るさが選択されたか否かを判定し、選択されたと判定するまで待機する。
【０２１７】
肌の明るさが選択されたとステップＳ５８において判定した場合、ステップＳ５９において、変更処理部２６１は、５枚の撮影画像のそれぞれに対して、利用者により選択された目の写りの画像になるように画像処理を施す。また、変更処理部２６１は、目の写りを調整した調整後の５枚の撮影画像のそれぞれに対して、利用者により選択された肌の明るさの画像になるように画像処理を施す。
【０２１８】
例えば、目の写りとして「おすすめEYE」が選択され、肌の明るさとして「オススメ」が選択された場合、変更処理部２６１は、「おすすめEYE」の目の写りを規定するパラメータと同じパラメータを用いて画像処理を行い、目の写りが「おすすめEYE」の写りになるように５枚の撮影画像の目の写りを調整する。また、変更処理部２６１は、「オススメ」の肌の明るさと同じ明るさを用いて画像処理を行い、肌の明るさが「オススメ」の明るさになるように、目の写りの調整後の５枚の撮影画像の肌の明るさを調整する。
【０２１９】
写りの調整は、以上の処理によって行われる。変更処理部２６１は、写りの調整後の５枚の撮影画像を編集画像生成部２６３に出力する。
【０２２０】
図２２は、写り選択画面の他の例を示す図である。
【０２２１】
図２２のサムネイル表示領域３０３−１乃至３０３−３には、１人の利用者の上半身が写る３枚のアップ画像のサムネイルが表示される。また、サムネイル表示領域３０３−４とサムネイル表示領域３０３−５には、１人の利用者の全身が写る２枚の全身画像のサムネイルが表示される。すなわち、図２２の写り選択画面は、撮影コースとしてedgyコースが選択された場合の画面である。
【０２２２】
図２２の例においては、サムネイル表示領域３０３−１に表示されている１枚目の撮影画像のサムネイルが選択され、高いコントラストで表示されている。また、２枚目と３枚目の撮影画像のサムネイルは、低いコントラストで表示されている。
【０２２３】
また、図２２の例においては、サムネイル表示領域３０３−４とサムネイル表示領域３０３−５の２枚のサムネイルがグレーアウトする形で表示されている。グレーアウトして表示されていることは、変更結果画像の元になる撮影画像として、全身画像を選択することができないことを表す。
【０２２４】
全身画像に写る利用者の顔はアップ画像に写る利用者の顔より小さい。例えば全身画像に写る利用者の目の写りを調整して変更結果画像を並べて表示したとしても目の写りの違いが分かりにくいため、変更結果画像の元になる撮影画像として全身画像を選択することが禁止される。
【０２２５】
このように、変更結果画像の生成の元になる撮影画像として選択可能な画像であるか、選択不可の画像であるかに応じて、サムネイルの表示の状態を変えることが可能である。  
【０２２６】
選択可能な撮影画像のサムネイルだけを表示し、選択不可の撮影画像のサムネイルを表示させないようにすることも可能である。また、選択可能な撮影画像のサムネイルと選択不可の撮影画像のサムネイルをそれぞれ異なる色で表示させるといったように、選択可能な撮影画像のサムネイルと選択不可の撮影画像のサムネイルを区別するための表示の状態は任意である。
【０２２７】
これにより、アップ画像を元にして生成された変更結果画像だけが表示されるため、利用者は、写りの違いを確認しやすくなる。
【０２２８】
図１６のステップＳ５９において、表示制御部２６２は、タブレット内蔵モニタ１３１に編集画面を表示させる。利用者は、写りの調整後の５枚の撮影画像に対して、タッチペン１３２Ａ，１３２Ｂを用いて編集を行う。
【０２２９】
ステップＳ６０において、編集画像生成部２６３は、利用者による入力に応じてそれぞれの撮影画像の編集を行い、編集画像を生成する。
【０２３０】
ステップＳ６１において、編集画像生成部２６３は、編集終了か否かを判定する。ステップＳ５９乃至Ｓ６１の処理は、編集終了であると判定されるまで繰り返される。
【０２３１】
編集終了であるとステップＳ６１において判定された場合、ステップＳ６２において、表示制御部２６２は、タブレット内蔵モニタ１３１にレイアウト選択画面を表示させる。レイアウト選択画面は、シール紙に印刷する編集画像のレイアウトの選択に用いられる画面である。
【０２３２】
予め用意された複数のレイアウトの中から所定のレイアウトが選択されたとき、編集画像生成部２６３は、複数の編集画像を利用者により選択されたレイアウトで配置し、印刷データを生成する。編集画像生成部２６３は、生成した印刷データをプリンタ２４１に出力し、編集画像をシール紙に印刷させる。その後、図１２のステップＳ３に戻り、それ以降の処理が行われる。
【０２３３】
図２３は、タブレット内蔵モニタ１３１に表示される編集画面の例を示す図である。
【０２３４】
編集画面は、主な構成が左右対称に設けられることによって構成される。左半分の領域である領域３３２Ｌは、タブレット内蔵モニタ１３１に向かって左側にいる利用者により用いられる領域である。右半分の領域である領域３３２Ｒは、タブレット内蔵モニタ１３１に向かって右側にいる利用者により用いられる領域である。中央上方の領域３３１には編集処理の残り時間が表示される。なお、図２３の各領域を囲む破線は画面に実際に表示されるものではない。
【０２３５】
領域３３２Ｌの中央上方のサムネイル表示領域３４１Ｌは、撮影画像を表すサムネイルの表示領域である。利用者（タブレット内蔵モニタ１３１に向かって左側にいる利用者）は、サムネイル表示領域３４１Ｌに表示されているサムネイルを選択することによって、編集対象とする撮影画像を選択することができる。
【０２３６】
図２３の例においては、５枚の撮影画像を表すサムネイルＰ１１乃至Ｐ１５がサムネイル表示領域３４１Ｌに並べて表示されている。また、左端のサムネイルＰ１１が選択されることによって、１枚目の撮影画像が編集対象とされている。例えば写りの調整後の撮影画像に基づいて生成されたサムネイルがサムネイル表示領域３４１Ｌの表示に用いられる。
【０２３７】
サムネイルＰ１１乃至Ｐ１３は利用者の上半身が写っているアップ画像のサムネイルである。また、サムネイルＰ１４，Ｐ１５は利用者の全身が写っている全身画像のサムネイルである。図２３の編集画面は、edgyコースによって撮影が行われた後の編集処理時に表示される画面である。
【０２３８】
領域３３２Ｌの略中央に形成された比較的大きな編集領域３４２Ｌは、編集対象として選択された撮影画像の表示領域である。図２３の例においては１枚目の撮影画像が表示されている。図２３の編集領域３４２Ｌに表示されている撮影画像は写りの調整後の画像である。
【０２３９】
利用者は、タッチペン１３２Ａを用いて編集ツールを選択し、編集領域３４２Ｌに表示された撮影画像の編集を行うことができる。編集ツールは、スタンプ画像やペン画像等、利用者がタッチペン１３２Ａ，１３２Ｂを用いて入力を行うツールである。
【０２４０】
編集領域３４２Ｌの左側のペンツール選択領域３４３Ｌは、手書き入力に用いられるペンツールの選択ボタンの表示領域である。ペンツール選択領域３４３Ｌには、線の種類、太さ、色の選択に用いられるボタンが複数表示される。ペンツール選択領域３４３Ｌの各ボタンは、編集画面が表示されている間、常時表示される。
【０２４１】
編集領域３４２Ｌの下の編集用パレット表示領域３４４Ｌは、スタンプ画像などの各種の編集ツールの選択に用いられる編集用パレットの表示領域である。編集用パレットに表示される編集ツールは「PROF-select」、「ROUGH-design」、「HIGH-design」のカテゴリ毎に分かれている。利用者は、それぞれのカテゴリ名が付されたタブを選択することによって、編集用パレット表示領域３４４Ｌに表示させる編集ツールを切り替えることができる。
【０２４２】
図２３の例においては、「PROF-select」のカテゴリが選択され、「PROF-select」のカテゴリに属する編集ツールの選択ボタンが表示されている。「PROF-select」のカテゴリに属する編集ツールが、編集の開始時に入力されたプロフィールに応じて切り替わるようにしてもよい。
【０２４３】
編集領域３４２Ｌの右側の修正ツール選択領域３４５Ｌは、消しゴムツールの選択に用いられるボタン、１つ前または１つ後の作業に戻るときに操作されるボタンなどが縦に並べて表示される領域である。消しゴムツールは、入力した編集を消すときに用いられるツールである。
【０２４４】
修正ツール選択領域３４５Ｌの右側の一括編集ボタン３４６Ｌは、予め決められた編集を一括して入力するときに操作されるボタンである。一括編集ボタン３４６Ｌの下には、領域３３２Ｒに跨る形で、編集時のBGMの設定を行うときに操作されるボタンの表示領域であるBGM設定領域３４７が形成される。
【０２４５】
編集用パレット表示領域３４４Ｌの右側には、メイクアップツールボタン３４８Ｌと携帯おまけボタン３４９Ｌが表示される。メイクアップツールボタン３４８Ｌは、メイクアップツールを利用するときに操作されるボタンである。携帯おまけボタン３４９Ｌは、サーバに送信する携帯送信用の画像の編集を行うときに操作されるボタンである。縦長長方形の携帯おまけボタン３４９Ｌには、「MOBILE  携帯おまけ」の文字とスマートフォンの外観の画像が表示されるとともに、スマートフォンの外観の画像に重ねて「PUSH」の文字が表示される。
【０２４６】
修正ツール選択領域３４５Ｌの上には、編集処理を終了するときに操作される終了ボタン３５０Ｌが表示される。
【０２４７】
タブレット内蔵モニタ１３１に向かって右側にいる利用者が使う領域３３２Ｒには、以上のような領域３３２Ｌの構成と同じ構成が位置を対称にして配置される。図２３の例においては、サムネイル表示領域３４１ＲからサムネイルＰ４を選択することによって、全身画像である４枚目の撮影画像が編集対象とされている。
【０２４８】
写りの調整後の撮影画像に対しては、このような編集画面を用いて編集が施される。
【０２４９】
＜変形例＞
写り選択画面の変形例について説明する。以下においては、目の写りの選択に用いられる写り選択画面について説明するが、同様の表示形式を、明るさの選択などの、他の写りの選択に用いられる写り選択画面の表示にも適用可能である。
【０２５０】
・第１の変形例
図２４は、写り選択画面の第１の変形例を示す図である。
【０２５１】
図２４の写り選択画面は、複数の変更結果画像をカバーフロー（登録商標）風に表示させる画面である。カバーフロー風とは、変更結果画像が画面向かって右側から左側へ流れるように移動可能な状態で表示されることをいう。カバーフロー風の表示は、選択中の変更結果画像を画面のより中央に、かつ、より大きく表示させ、他の変更結果画像を、画面の中央から離れた位置に小さく表示させる表示である。それぞれの変更結果画像の位置と大きさは、変更結果画像全体の並び順における、選択中の変更結果画像を基準とした並び位置に応じて定まる。
【０２５２】
写り選択画面の略中央に形成される変更結果表示領域３０１−２は、選択中の変更結果画像の表示領域である。図２４の例においては、「おすすめEYE」の変更結果画像が変更結果表示領域３０２−２に表示されている。
【０２５３】
変更結果表示領域３０１−２の左右に形成される変更結果表示領域３０１−１，３０１−３には、それぞれ、「ナチュラルEYE」の変更結果画像と「ライトボリュームEYE」の変更結果画像が表示される。「ナチュラルEYE」の変更結果画像と「ライトボリュームEYE」の変更結果画像は、選択中の「おすすめEYE」の変更結果画像より小さい。
【０２５４】
変更結果表示領域３０１−３が上に重なる形で形成される変更結果表示領域３０１−４には、「ライトボリュームEYE」の変更結果画像が表示される。「ライトボリュームEYE」の変更結果画像は、他の変更結果画像より小さい。
【０２５５】
利用者は、タブレット内蔵モニタ１３１にタッチペン１３２Ａ，１３２Ｂを押し当てた状態で横方向にスライドさせることにより、それぞれの変更結果画像の表示位置を切り替えることができる。
【０２５６】
例えば、利用者が左方向へのスライド操作を行った場合、「ボリュームEYE」の変更結果画像は、図２４において「ライトボリュームEYE」の変更結果画像が表示されていた位置に、その大きさで表示される。また、「ライトボリュームEYE」の変更結果画像は、図２４において「おすすめEYE」の変更結果画像が表示されていた位置に、その大きさで表示される。「ライトボリュームEYE」の変更結果画像が選択中の状態になる。
【０２５７】
また、選択されていた「おすすめEYE」の変更結果画像は、図２４において「ナチュラルEYE」の変更結果画像が表示されていた位置に、その大きさで表示される。「ナチュラルEYE」の変更結果画像は、「おすすめEYE」の変更結果画像が一部重なる形で表示される。
【０２５８】
複数の変更結果画像がカバーフロー風に表示されることにより、利用者は、写りの選択を直感的に行うことができる。
【０２５９】
・第２の変形例
図２５は、写り選択画面の第２の変形例を示す図である。
【０２６０】
図２５の写り選択画面は、選択された変更結果画像をポップアップ式に拡大表示させる画面である。ポップアップ式とは、選択された変更結果画像を拡大したものを、選択されていない変更結果画像に重ねて表示することをいう。
【０２６１】
例えば図１８に示すように「ナチュラルEYE」、「おすすめEYE」、「ライトボリュームEYE」、および「ボリュームEYE」の変更結果画像が並べて表示されている状態において、左から３番目の「ライトボリュームEYE」が選択された場合、図２５に示すように、「ライトボリュームEYE」の変更結果画像が、画面の略中央に大きく、他の変更結果画像に重ねて表示される。
【０２６２】
利用者は、他の変更結果画像を選択することにより、画面の略中央に大きく表示させる変更結果画像を切り替えることができる。これにより、利用者は、選択中の変更結果画像の写りを詳しく確認することができる。
【０２６３】
・第３の変形例
図２６は、写り選択画面の第３の変形例を示す図である。
【０２６４】
図２６の写り選択画面は、利用者に選択させたい変更結果画像を、意図的に拡大表示させる画面である。
【０２６５】
図２６の例においては、変更結果表示領域３０１−２に表示される「おすすめEYE」の変更結果画像と変更結果表示領域３０１−３に表示される「ライトボリュームEYE」の変更結果画像が、他の変更結果画像より大きく表示されている。
【０２６６】
利用者に選択させたい変更結果画像が複数であってもよいし、１つであってもよい。また、選択させたい順に大きさを変えて表示させるようにしてもよい。
【０２６７】
これにより、写真シール作成装置１は、選択させたい写りの選択率を高めることが可能になる。また、利用者は、選択させたいものとして設定された写りの詳細を容易に選択することができる。
【０２６８】
・第４の変形例
図２７は、写り選択画面の第４の変形例を示す図である。
【０２６９】
図２７の写り選択画面は、変更結果画像の元になる撮影画像として全身画像が選択された場合に、目の写りの調整後の全身画像のうちの、人物の上半身部分を拡大表示させる画面である。
【０２７０】
すなわち、この写り選択画面は、撮影がedgyコースで行われている場合に表示される画面である。また、この写り選択画面は、変更結果画像の元になる撮影画像として全身画像を選択することが可能とされている場合に表示される画面である。図２７の写り選択画面においては、サムネイル表示領域３０３−４とサムネイル表示領域３０３−５の全身画像のサムネイルはグレーアウトしていない。
【０２７１】
図２７の例においては、サムネイル表示領域３０３−５の全身画像のサムネイルが選択されている。変更処理部２６１は、５枚目の撮影画像に対して異なるパラメータを用いて画像処理を施し、目の写りを調整する。表示制御部２６２は、目の写りの調整後のそれぞれの撮影画像のうちの人物の上半身の部分をトリミングにより切り出す。表示制御部２６２は、トリミングにより切り出した画像を拡大し、変更結果画像として変更結果表示領域３０１−１乃至３０１−４に表示させる。
【０２７２】
これにより、利用者は、全身画像を元にして生成された変更結果画像の写りを詳細に確認することができる。
【０２７３】
・第５の変形例
図２８は、写り選択画面の第５の変形例を示す図である。
【０２７４】
図２８の写り選択画面は、変更結果画像の元になる撮影画像のうち、人物の上半身部分ではなく、写りの調整箇所を拡大表示させる画面である。写り選択画面には、写りの調整後の目の部分を拡大した画像が変更結果画像として表示される。
【０２７５】
図２８の例においては、サムネイル表示領域３０３−５の全身画像のサムネイルが選択されている。変更処理部２６１は、５枚目の撮影画像に対して異なるパラメータを用いて画像処理を施し、目の写りを調整する。表示制御部２６２は、目の写りの調整後のそれぞれの撮影画像のうちの人物の目の部分をトリミングにより切り出す。表示制御部２６２は、トリミングにより切り出した画像を拡大し、変更結果画像として変更結果表示領域３０１−１乃至３０１−４に表示させる。
【０２７６】
これにより、利用者は、写りの調整が行われた部分を詳細に確認することができる。全身画像ではなく、アップ画像を用いて、写りの調整後の目の部分を拡大した画像を変更結果画像として表示させるようにしてもよい。
【０２７７】
・第６の変形例
図２９は、写り選択画面の第６の変形例を示す図である。
【０２７８】
図２９の写り選択画面は、画面の下方に変更結果画像を並べて表示させるとともに、画面の上方に撮影画像のサムネイルを並べて表示させる画面である。すなわち、変更結果画像の表示領域の位置と撮影画像のサムネイルの表示領域の位置が、図１８の表示と比べて逆になる。
【０２７９】
変更結果画像の表示領域の位置と撮影画像のサムネイルの表示領域の位置を利用者が好みに応じて選択することができるようにしてもよい。
【０２８０】
・第７の変形例
図３０は、写り選択画面の第７の変形例を示す図である。
【０２８１】
図３０の写り選択画面は、利用者により選択された１枚の撮影画像に対して異なるパラメータを用いて画像処理を施し、それぞれの変更結果画像のサムネイルを画面の下方に並べて表示させる画面である。サムネイルとして表示される画像は、撮影画像ではなく変更結果画像である。
【０２８２】
所定のサムネイルが選択されたとき、選択されたサムネイルに対応する変更結果画像の生成に用いられたパラメータと同じパラメータを用いた画像処理が、全ての撮影画像に対して施される。写りの調整後の撮影画像が、変更結果画像のサムネイルの上に並べて表示される。
【０２８３】
写り選択画面は、１枚の撮影画像の選択に用いられる選択画面と、選択された撮影画像を元にして生成された変更結果画像のサムネイル、および写りの調整後の撮影画像がそれぞれ並べて表示される画面とから構成される。
【０２８４】
図３０Ａの選択画面は、撮影画像の選択画面である。画面の中央上方には画像の選択を促すメッセージが表示される。画像の選択を促すメッセージの下には表示領域４２１−１乃至４２１−５が形成され、撮影画像がそれぞれ表示される。表示領域４２１−１乃至４２１−５に表示されている撮影画像は、写りの調整前の画像である。
【０２８５】
１枚の撮影画像が選択されたとき、変更処理部２６１は、選択された１枚の撮影画像に対して異なるパラメータを用いて画像処理を施し、複数の変更結果画像を生成する。また、変更処理部２６１は、５枚の撮影画像に対して、所定の写りを規定する同じパラメータを用いて画像処理を施し、５枚の変更結果画像を生成する。
【０２８６】
表示制御部２６２は、利用者により選択された１枚の撮影画像を元にして生成された変更結果画像のサムネイルを生成し、タブレット内蔵モニタ１３１に表示させる。また、表示制御部２６２は、同じパラメータを用いた画像処理によって生成した５枚の変更結果画像をタブレット内蔵モニタ１３１に表示させる。このとき、タブレット内蔵モニタ１３１には、図３０Ａの画面に代えて図３０Ｂの画面が表示される。
【０２８７】
図３０Ｂの画面には、表示領域４２１−１乃至４２１−５の下にサムネイル表示領域４２２−１乃至４２２−４が形成される。サムネイル表示領域４２２−１乃至４２２−４に表示されているサムネイルは、図３０Ａの画面から利用者により選択された１枚の撮影画像を元にして生成された変更結果画像のサムネイルである。
【０２８８】
図３０Ｂの例においては、利用者により選択された１枚目の撮影画像を元にして生成された変更結果画像のサムネイルがサムネイル表示領域４２２−１乃至４２２−４に表示されている。利用者は、サムネイル表示領域４２２−１乃至４２２−４に表示されているサムネイルを用いて所定の写りを選択することができる。サムネイル表示領域４２２−１乃至４２２−４の上には、それぞれ、目の写りを表す「ナチュラル」、「おすすめ」、「ライトボリューム」、「ボリューム」の文字が表示されている。
【０２８９】
図３０Ｂの表示領域４２１−１乃至４２１−５に表示されている画像は、例えば「ナチュラルEYE」の写りを規定するパラメータを用いた画像処理を５枚の撮影画像に施して得られた変更結果画像である。
【０２９０】
例えば、サムネイル表示領域４２２−２のサムネイルが選択された場合、「おすすめEYE」の写りを規定するパラメータを用いた画像処理が５枚の撮影画像に対して施される。画像処理が施されることによって生成された５枚の変更結果画像は、表示領域４２１−１乃至４２１−５に表示される。
【０２９１】
例えば、サムネイル表示領域４２２−２のサムネイルが選択されている状態でＯＫボタン３０５が操作された場合、「おすすめEYE」の写りが選択される。
【０２９２】
サムネイルの表示から、利用者は、自身が最良と判断して選択した撮影画像の写りの変更結果を相対的に比較することが可能になる。また、利用者は、最良の撮影画像を再選択、選びなおすこともできる。利用者は、所定の変更結果を選択することによって、その変更処理と同じ処理を全ての撮影画像に反映させた場合の結果をも合わせて確認することができる。
【０２９３】
・第８の変形例
図３１は、写り選択画面の第８の変形例を示す図である。
【０２９４】
図３１の写り選択画面は、画面上方に５枚の撮影画像を並べて表示させ、画面下方に、目の写りを選択するときに操作されるボタンを並べて表示させる画面である。ボタンが操作されたとき、５枚の撮影画像に対して画像処理が施され、生成された変更結果画像が撮影画像に代えて並べて表示される。
【０２９５】
図３１の例においては、画面上方に形成された表示領域４３１−１乃至４３１−２に５枚の撮影画像が表示されている。また、画面下方には写り選択ボタン４３２−１乃至４３２−４が表示されている。
【０２９６】
写り選択ボタン４３２−１乃至４３２−４は、それぞれ、「ナチュラルEYE」、「おすすめEYE」、「ボリュームEYE」、および「ライトボリュームEYE」の写りを選択するときに操作されるボタンである。各ボタンに表示される目の画像は、例えばモデルの人物の目の画像に対して、それぞれの写りを規定するパラメータと同じパラメータを用いた画像処理を施して得られた画像である。
【０２９７】
例えば写り選択ボタン４３２−１が操作された場合、変更処理部２６１は、「ナチュラルEYE」の写りを規定するパラメータと同じパラメータを用いた画像処理をそれぞれの撮影画像に対して施す。表示制御部２６２は、それぞれの撮影画像を元にして生成された変更結果画像を表示領域４３１−１乃至４３１−５に表示させる。
【０２９８】
利用者は、異なるボタンを押すことにより、異なる写りの変更結果画像を表示領域４３１−１乃至４３１−５に表示させることができる。
【０２９９】
・第９の変形例
図３２は、写り選択画面の第９の変形例を示す図である。
【０３００】
図３２の写り選択画面は、スライドバーの操作によって写りを調整することができるようにした画面である。
【０３０１】
図３２の写り選択画面は、画面中央上方に表示領域４４１が形成され、表示領域４４１の下にスライドバー４４２−１，４４２−２が表示されることによって構成される。スライドバー４４２−１の下には５枚の撮影画像のサムネイルが表示される。
【０３０２】
表示領域４４１は、サムネイル表示領域３０３−１乃至３０３−５に表示されたサムネイルを用いて選択された撮影画像を元にして生成された変更結果画像の表示領域である。図３２の例においては、サムネイル表示領域３０３−１のサムネイルが選択され、１枚目の撮影画像が表示領域４４１に表示されている。この場合、１枚目の撮影画像が、写りの調整対象となる。他のサムネイルが選択されたとき、表示領域４４１に表示される撮影画像が切り替わる。
【０３０３】
スライドバー４４２−１は、目の写りを規定するパラメータの調整に用いられるスライドバーである。スライドバー４４２−２は、肌の明るさの調整に用いられるスライドバーである。利用者は、それぞれのスライドバーのポインタをタッチペン１３２Ａ，１３２Ｂなどを用いて左右に動かすことにより、ポインタの位置を調整することができる。
【０３０４】
変更処理部２６１は、スライドバー４４２−１が操作された場合、対象の撮影画像の目の写りを、ポインタの位置に対応する度合いのパラメータを用いて調整し、変更結果画像を生成する。例えば、スライドバー４４２−１上の各位置には、目の写りを規定するパラメータである目の大きさ、色、ぼかしの所定の度合いの組み合わせが対応付けられている。表示制御部２６２は、目の写りの調整結果である変更結果画像を表示領域４４１に表示させる。
【０３０５】
また、変更処理部２６１は、スライドバー４４２−２が操作された場合、対象の撮影画像に写る肌の明るさを、ポインタの位置に対応する明るさに調整し、変更結果画像を生成する。例えば、スライドバー４４２−２上の各位置には、所定の明るさが対応付けられている。表示制御部２６２は、肌の明るさの調整結果である変更結果画像を表示領域４４１に表示させる。
【０３０６】
スライドバーを用いることにより、利用者は写りの微調整を行うことができる。これにより、利用者は、より嗜好に合った画像を生成することができる。
【０３０７】
ＯＫボタン３０５が操作された場合、変更処理部２６１は、そのとき表示領域４４１に表示されている変更結果画像の生成に用いられたパラメータと同じパラメータを用いた画像処理を他の撮影画像に施すことによって、他の撮影画像の目の写りと肌の明るさを調整する。変更処理部２６１は、５枚の変更結果画像を編集画像生成部２６３に出力する。
【０３０８】
なお、スライドバー上の各位置とパラメータの度合いの対応付けは、パラメータの度合いを１０段階などの複数の段階に分け、各段階の度合いを対応付けるようにすることが可能である。この場合、表示領域４４１の変更結果画像の写りは、スライドバーの操作に伴って段階的に切り替わることになる。
【０３０９】
また、スライドバー上の各位置とパラメータの度合いの対応付けは、無段階の度合いを対応付けるようにすることが可能である。この場合、表示領域４４１の変更結果画像の写りは、スライドバーの操作に伴って無段階で徐々に、いわゆるモーフィングを行って切り替わることになる。
【０３１０】
・第１０の変形例
図３３は、写り選択画面の第１０の変形例を示す図である。
【０３１１】
図３３の写り選択画面は、スライドバーの操作によって、全ての撮影画像の写りの調整を一括して行うことができるようにした画面である。
【０３１２】
図３３の写り選択画面は、画面上方に表示領域４５１−１乃至４５１−５が形成され、表示領域４５１−１乃至４５１−５の下にスライドバー４４２−１，４４２−２が表示されることによって構成される。
【０３１３】
表示領域４５１−１乃至４５１−５は、それぞれ、５枚の撮影画像を元にして生成された変更結果画像の表示領域である。図３３の写り選択画面においては、全ての撮影画像が写りの調整の対象になる。
【０３１４】
変更処理部２６１は、スライドバー４４２−１が操作された場合、全ての撮影画像の目の写りを、ポインタの位置に対応する度合いのパラメータを用いて調整し、変更結果画像を生成する。表示制御部２６２は、目の写りの調整後の変更結果画像を表示領域４５１−１乃至４５１−５に表示させる。
【０３１５】
また、変更処理部２６１は、スライドバー４４２−２が操作された場合、全ての撮影画像の肌の明るさを、ポインタの位置に対応する明るさに調整し、変更結果画像を生成する。表示制御部２６２は、肌の明るさの調整後の変更結果画像を表示領域４５１−１乃至４５１−５に表示させる。
【０３１６】
利用者は、全ての撮影画像の写りの微調整を一括して行うことができる。これにより、利用者は、嗜好に合った画像を、全ての画像の写りの調整結果を確認しながら効率的に生成することができる。
【０３１７】
ＯＫボタン３０５が操作された場合、変更処理部２６１は、そのとき表示領域４５１−１乃至４５１−５に表示されている変更結果画像を、編集対象の画像として編集画像生成部２６３に出力する。
【０３１８】
・第１１の変形例
図３４は、写り選択画面の第１１の変形例を示す図である。
【０３１９】
図３４の写り選択画面は、スライドバーの操作によって、全ての撮影画像の写りを、それぞれ、パラメータ毎に調整することができるようにした画面である。
【０３２０】
写りの選択は、全撮影画像の写りに対して行うようにしてもよいし、撮影画像毎に対して行うようにしてもよい。このことは、図３４のスライドバー形式の写り選択画面を用いた写りの選択に限られるものではない。
【０３２１】
図３４の写り選択画面は、画面上方に表示領域４５１−１乃至４５１−５が形成され、表示領域４５１−１乃至４５１−５の下に、それぞれ、スライドバー４６１−１乃至４６１−５が表示されることによって構成される。
【０３２２】
表示領域４５１−１乃至４５１−５は、それぞれ、５枚の撮影画像を元にして生成された変更結果画像の表示領域である。
【０３２３】
スライドバー４６１−１乃至４６１−５は、それぞれ、目の大きさの調整に用いられるスライドバー、目の色の調整に用いられるスライドバー、目のぼかしの調整に用いられるスライドバー、および肌の明るさの調整に用いられるスライドバーから構成される。
【０３２４】
例えば、変更処理部２６１は、スライドバー４６１−１を構成する一番上のスライドバーが操作された場合、１枚目の撮影画像の目の大きさを、ポインタの位置に対応する大きさに調整し、変更結果画像を生成する。表示制御部２６２は、目の大きさの調整後の変更結果画像を表示領域４５１−１に表示させる。
【０３２５】
また、変更処理部２６１は、スライドバー４６１−２を構成する一番下のスライドバーが操作された場合、２枚目の撮影画像の肌の明るさを、ポインタの位置に対応する明るさに調整し、変更結果画像を生成する。表示制御部２６２は、肌の明るさの調整後の変更結果画像を表示領域４５１−２に表示させる。
【０３２６】
これにより、利用者は、それぞれの撮影画像の写りをパラメータ毎に微調整することができる。
【０３２７】
ＯＫボタン３０５が操作された場合、変更処理部２６１は、そのとき表示領域４５１−１乃至４５１−５に表示されている変更結果画像を、編集対象の画像として編集画像生成部２６３に出力する。
【０３２８】
・第１２の変形例
図３５は、写り選択画面の第１２の変形例を示す図である。
【０３２９】
図３５の写り選択画面は、写り選択画面の表示形式を切り替えることができるようにした画面である。
【０３３０】
図３５Ａの写り選択画面は、画面の右下に切り替えボタン４７１が設けられている点を除いて、図１８の写り選択画面と同じ画面である。
【０３３１】
切り替えボタン４７１は、表示形式を切り替えるときに操作されるボタンである。例えば図３５Ａの切り替えボタン４７１が操作された場合、写り選択画面は、図３５Ｂの表示に切り替えられる。
【０３３２】
図３５Ｂの写り選択画面は、画面の右下に切り替えボタン４７１が設けられている点を除いて、図３１の写り選択画面と同じ画面である。図３５の写り選択画面の切り替えボタン４７１が操作された場合、写り選択画面は、図３５Ａの表示に切り替えられる。
【０３３３】
このように、利用者は、写り選択画面の表示形式を好みに応じて切り替えることができる。
【０３３４】
図１８の写り選択画面と図３１の写り選択画面の間の切り替えについて説明したが、相互に切り替えることができる写り選択画面の組み合わせは任意である。また、切り替えることができる写り選択画面の数も２つに限られるものではなく、３つ以上であってもよい。
【０３３５】
＜第２の実施例＞
図３６は、写り選択画面の例を示す図である。
【０３３６】
図３６の写り選択画面は、利用者が２人である場合に表示される画面である。
【０３３７】
図３６の写り選択画面は、画面中央に形成された表示領域５０１、表示領域５０１の左側に形成された表示領域５０２Ｌ、および、表示領域５０１の右側に形成された表示領域５０２Ｒから構成される。
【０３３８】
表示領域５０１は、変更結果画像の表示領域である変更結果表示領域５１１−１乃至５１１−４から構成される。各領域の上には目の写りの名前が表示される。
【０３３９】
表示領域５０２Ｌ，５０２Ｒは、それぞれ、撮影画像のサムネイルの表示領域であるサムネイル領域５２１−１乃至５２１−５から構成される。表示領域５０２Ｌは、例えばタブレット内蔵モニタ１３１に向かって左側に立つ利用者により使用される。表示領域５０２Ｒは、例えばタブレット内蔵モニタ１３１に向かって右側に立つ利用者により使用される。この例においては、撮影画像のサムネイルが、それぞれの利用者に用いられる領域に表示されることになる。
【０３４０】
例えば、左側に立つ利用者により、表示領域５０２Ｌに表示されるサムネイルを用いて所定の撮影画像が選択された場合、変更処理部２６１は、選択された撮影画像に対して、異なるパラメータを用いた画像処理を施す。変更処理部２６１は、画像処理を施すことによって生成した変更結果画像を表示制御部２６２に出力する。表示制御部２６２は、変更処理部２６１により生成された複数の変更結果画像を表示領域５０１に表示させる。
【０３４１】
図３６の例においては、表示領域５０２Ｌのサムネイル領域５２１−２にサムネイルが表示されている２枚目の撮影画像が選択され、２枚目の撮影画像の目の写りを調整して生成された変更結果画像が表示領域５０１に表示されている。
【０３４２】
右側に立つ利用者も同様に、表示領域５０２Ｒに表示されるサムネイルを用いて所定の撮影画像を選択し、変更結果画像を表示領域５０１に表示させることができる。例えば、撮影画像の選択は２人の利用者により交互に行われる。表示領域５０１の表示は、２人が撮影画像を選択する毎に切り替えられる。
【０３４３】
２人の利用者は、一方の利用者が選択した撮影画像の写りの調整結果を、お互いに話しながら、相対的に比較して評価することができる。
【０３４４】
所定の変更結果画像が選択された状態でＯＫボタン３０５が操作された場合、変更処理部２６１は、選択された写りのパラメータと同じパラメータを用いて他の撮影画像にも画像処理を施し、変更結果画像を生成する。生成された変更結果画像は、編集の対象として用いられる。
【０３４５】
・変形例
図３７は、写り選択画面の変形例を示す図である。
【０３４６】
図３７の写り選択画面は、左右に分割され、表示領域５０１と同様の領域が左右にそれぞれ設けられている点と、ＯＫボタン３０５と同様のボタンが左右にそれぞれ表示されている点を除いて、図３６の画面と同様である。この例においては、撮影画像のサムネイルと変更結果画像が、それぞれの利用者に用いられる領域に表示されることになる。
【０３４７】
表示領域５０２Ｌに表示されているサムネイルを用いて所定の撮影画像が選択された場合、表示領域５０１Ｌには、選択された撮影画像を元にして生成された変更結果画像が表示される。
【０３４８】
表示領域５０１Ｌに表示されている所定の変更結果画像が選択された状態でＯＫボタン３０５Ｌが選択された場合、目の写りが選択される。
【０３４９】
同様に、表示領域５０２Ｒに表示されているサムネイルを用いて所定の撮影画像が選択された場合、表示領域５０１Ｒには、選択された撮影画像を元にして生成された変更結果画像が表示される。
【０３５０】
表示領域５０１Ｒに表示されている所定の変更結果画像が選択された状態でＯＫボタン３０５Ｒが選択された場合、目の写りが選択される。
【０３５１】
このように、撮影画像を選択して変更結果画像を比較することを、それぞれの利用者が行うようにすることが可能である。
【０３５２】
＜その他の例＞
以上においては、目の写りを規定するパラメータと肌の明るさを変更する場合について説明したが、他のパラメータを変更して写りの調整を行うようにすることも可能である。そのようなパラメータには、例えば、髪の毛の色を規定するパラメータ、利用者の顔の大きさを規定するパラメータ、化粧の濃淡を規定するパラメータ、利用者の肌の色を規定するパラメータ、撮影画像全体の明るさを規定するパラメータがある。
【０３５３】
なお、化粧の濃淡を規定するパラメータには、眉ずみ、ハイライト、ノーズシャドウ、アイシャドウ、アイライン、アイラッシュ、チーク、シェード、口紅などの濃淡、範囲を規定するパラメータなどが含まれる。
【０３５４】
１回の画像処理で変更するパラメータの数は、１つに限られるものではなく、これらのパラメータのうちの２つ以上の組み合わせをまとめて変更するようにしてもよい。例えば、目の写りと肌の明るさを、利用者による１回の操作で同時に調整することが可能である。
【０３５５】
目の写りに関する写り選択画面の表示前、ユーザに積極的に選択させたい目の写りの種類を案内するガイダンス画面をタブレット内蔵モニタ１３１に表示させることも可能である。ガイダンス画面には、例えば、おすすめの目の写りになるように画像処理が施されたサンプル画像が表示される。サンプル画像として、モデルの人物が写る画像が用いられるようにしてもよいし、撮影画像の中から選択された画像が用いられるようにしてもよい。なお、サンプル画像は、全身画像、アップ画像および目の部分を拡大した画像でもよく、撮影範囲（画角）、トリミング範囲は限定されない。これらのうち、目の写りの種類をユーザに最も強く訴えかけることができるため、目の部分を拡大した画像を用いることが好ましい。
【０３５６】
また、以上のようにして生成された編集画像が印刷される印刷媒体としてシール紙を用いる場合について説明したが、他の印刷媒体に印刷することも可能である。例えば、紙、薄いプラスチック、ビニールなどの各種の素材の印刷媒体を用いることが可能である。印刷媒体の形状についても任意である。
【０３５７】
本技術の実施の形態は、上述した実施の形態に限定されるものではなく、本技術の要旨を逸脱しない範囲において種々の変更が可能である。
【符号の説明】
【０３５８】
１  写真シール作製装置，  １３１  タブレット内蔵モニタ，  ２５１  撮影制御部，  ２５２  編集制御部，  ２６１  変更処理部，  ２６２  表示制御部，  ２６３  編集画像生成部
【図１】
2016114793.tif 000003
【図２】
2016114793.tif 000004
【図３】
2016114793.tif 000005
【図４】
2016114793.tif 000006
【図５】
2016114793.tif 000007
【図６】
2016114793.tif 000008
【図７】
2016114793.tif 000009
【図８】
2016114793.tif 000010
【図９】
2016114793.tif 000011
【図１０】
2016114793.tif 000012
【図１１】
2016114793.tif 000013
【図１２】
2016114793.tif 000014
【図１３】
2016114793.tif 000015
【図１４】
2016114793.tif 000016
【図１５】
2016114793.tif 000017
【図１６】
2016114793.tif 000018
【図１７】
2016114793.tif 000019
【図１８】
2016114793.tif 000020
【図１９】
2016114793.tif 000021
【図２０】
2016114793.tif 000022
【図２１】
2016114793.tif 000023
【図２２】
2016114793.tif 000024
【図２３】
2016114793.tif 000025
【図２４】
2016114793.tif 000026
【図２５】
2016114793.tif 000027
【図２６】
2016114793.tif 000028
【図２７】
2016114793.tif 000029
【図２８】
2016114793.tif 000030
【図２９】
2016114793.tif 000031
【図３０】
2016114793.tif 000032
【図３１】
2016114793.tif 000033
【図３２】
2016114793.tif 000034
【図３３】
2016114793.tif 000035
【図３４】
2016114793.tif 000036
【図３５】
2016114793.tif 000037
【図３６】
2016114793.tif 000038
【図３７】
2016114793.tif 000039